(57)【要約】  本発明の放射線画像通信システムは、放射線撮影により放射線画像データを得る放射線画像取得手段と、取得した放射線画像データに基づく画像データから暗号化処理されたデータを得る暗号化処理手段と、暗号化処理されたデータに基づくデータからデータ信号を得て無線通信により送信する通信手段とを備える放射線画像取得装置と、送信されたデータ信号を受信して暗号化処理されたデータを得るコンソール通信手段と、暗号化処理されたデータに基づくデータを復号化処理する復号化処理手段と、放射線画像データに基づく画像データを保存する画像保存手段とを有するコンソールとを備える。【特許請求の範囲】
【請求項１】
放射線撮影により放射線画像データを得る放射線画像取得手段と、前記放射線画像取得手段により取得した前記放射線画像データに基づく画像データから暗号化処理されたデータを得る暗号化処理手段と、前記暗号化処理手段により暗号化処理されたデータに基づくデータからデータ信号を得て無線通信により送信する通信手段とを備える放射線画像取得装置と、
前記放射線画像取得装置から送信されたデータ信号を受信して暗号化処理されたデータを得るコンソール通信手段と、前記コンソール通信手段により得た前記暗号化処理されたデータに基づくデータを復号化処理する復号化処理手段と、前記復号化処理手段により得た放射線画像データに基づく画像データを保存する画像保存手段とを有するコンソールと、
を備える放射線画像取得システム。
【請求項２】
前記放射線画像取得装置は、前記放射線画像取得手段により取得した前記放射線画像データに基づく画像データから圧縮処理されたデータを得る圧縮処理手段を有し、前記暗号化処理手段は、前記圧縮処理手段により圧縮処理されたデータに基づくデータから暗号化処理されたデータを得るものであり、
前記コンソールは、前記復号化処理手段により得たデータに基づくデータから解凍処理されたデータを得る解凍処理手段を有し、前記画像保存手段は、前記解凍処理手段により得た放射線画像データに基づく画像データを保存するものである請求の範囲第１項に記載の放射線画像取得システム。
【請求項３】
サービスセットＩＤが設定されており、照射された放射線を検出して放射線画像データを得る放射線画像取得手段と、前記放射線画像取得手段からデータを得て、設定されている前記サービスセットＩＤの情報とともに無線通信により送信する通信手段とを備える放射線画像取得装置と、
サービスセットＩＤが設定されており、同一のサービスセットＩＤの情報と共に送信されたデータを受信するコンソール通信手段と、前記コンソール通信手段により得た放射線画像データに基づく画像データを保存する画像保存手段とを有するコンソールと、
を備える請求の範囲第１項又は第２項に記載の放射線画像取得システム。
【請求項４】
前記放射線画像取得装置に設定されているサービスセットＩＤと、前記コンソール通信手段に設定されているサービスセットＩＤと、他の機器に設定されているサービスセットＩＤを管理し、
前記放射線画像取得装置に設定されているサービスセットＩＤと、前記コンソール通信手段に設定されているサービスセットＩＤが同じになり、
前記放射線画像取得装置用のコンソールでもなく、前記コンソール用の放射線画像取得装置でもない他の機器に設定されているサービスセットＩＤと、前記放射線画像取得装置に設定されているサービスセットＩＤとが異なるサービスセットＩＤとなるようにするものである請求の範囲第３項に記載の放射線画像取得システム。
【請求項５】
前記コンソール通信手段からケーブルを介して接続された無線中継器を有し、
前記放射線画像取得装置は、固有番号が設定されており、前記通信手段が送信するデータとともに設定された前記固有番号の情報を送信するものであり、
前記無線中継器は、無線通信可能な装置の固有番号が設定されており、設定された固有番号の装置に対してのみ無線通信するものである請求の範囲第１項〜第４項のいずれか一項に記載の放射線画像取得システム。
【請求項６】
前記放射線画像取得装置が、
前記放射線画像取得手段と前記通信手段とを制御する制御手段と、
前記放射線画像取得手段と前記通信手段と前記制御手段とを駆動する電力を供給する電源と、
を有するカセッテである請求の範囲第１項〜第５項のいずれか一項に記載の放射線画像取得システム。
【請求項７】
前記放射線画像取得装置が、前記放射線画像取得手段により得た放射線画像データに基づく画像データを一時的に保存するためのメモリを有する請求の範囲第１項〜第６項のいずれか一項に記載の放射線画像取得システム。
【請求項８】
前記コンソールにおいて、画像データに被写体情報を付加する請求の範囲第１項〜第７項のいずれか一項に記載の放射線画像取得システム。
【請求項９】
前記コンソールにおいて、画像データに撮影情報を付加する請求の範囲第８項に記載の放射線画像取得システム。
【請求項１０】
データを暗号化処理して送信する暗号通信と、データを暗号化処理せずに送信する非暗号通信を含む複数の通信方式を有する請求の範囲第１項〜第９項のいずれか一項に記載の放射線画像取得システム。
【請求項１１】
通信内容に応じて複数の前記通信方式から通信方式を選択する請求の範囲第１０項に記載の放射線画像取得システム。
【請求項１２】
所定の条件に応じて複数の前記通信方式から通信方式を選択する請求の範囲第１０項又は第１１項に記載の放射線画像取得システム。
【請求項１３】
前記コンソールから前記放射線画像取得装置に前記非暗号通信で制御信号又は制御情報を送信する請求の範囲第１０項〜第１２項のいずれか一項に記載の放射線画像取得システム。
【請求項１４】
複数の暗号化方式の中から使用する暗号化方式を選択可能である請求の範囲第１項〜第１３項のいずれか一項に記載の放射線画像取得システム。
【請求項１５】
放射線撮影により放射線画像データを得る放射線画像取得手段と、前記放射線画像取得手段により取得した前記放射線画像データに基づく画像データから暗号化処理されたデータを得る暗号化処理手段と、前記暗号化処理手段により暗号化処理されたデータに基づくデータからデータ信号を得て無線通信により送信する通信手段とを備えるカセッテ。
【請求項１６】
前記放射線画像取得手段により取得した前記放射線画像データに基づく画像データから圧縮処理されたデータを得る圧縮処理手段を有し、
前記暗号化処理手段は、前記圧縮処理手段により圧縮処理されたデータに基づくデータから暗号化処理されたデータを得るものである請求の範囲第１５項に記載のカセッテ。
【請求項１７】
データ信号を受信して暗号化処理されたデータを得るコンソール通信手段と、前記コンソール通信手段により得た前記暗号化処理されたデータに基づくデータを復号化処理する復号化処理手段と、前記復号化処理手段により得た放射線画像データに基づく画像データを保存する画像保存手段とを有するコンソール。
【請求項１８】
前記復号化処理手段により得たデータに基づくデータから解凍処理されたデータを得る解凍処理手段を有し、
前記画像保存手段は、前記解凍処理手段により得た放射線画像データに基づく画像データを保存するものである請求の範囲第１７項に記載のコンソール。
【請求項１９】
放射線画像データに基づく画像データから暗号化処理されたデータを得る暗号化処理手段と、前記暗号化処理手段により暗号化処理されたデータに基づくデータからデータ信号を得て無線通信により送信する通信手段とを備えるカセッテと、
前記放射線画像送信装置から送信されたデータ信号を受信して暗号化処理されたデータを得るコンソール通信手段と、前記コンソール通信手段により得た前記暗号化処理されたデータに基づくデータを復号化処理する復号化処理手段と、前記復号化処理手段により得た放射線画像データに基づく画像データを保存する画像保存手段とを有する放射線画像受信装置と、
を備える放射線画像通信システム。
【請求項２０】
前記カセッテは、前記放射線画像データに基づく画像データから圧縮処理されたデータを得る圧縮処理手段を有し、前記暗号化処理手段は、前記圧縮処理手段により圧縮処理されたデータに基づくデータから暗号化処理されたデータを得るものであり、
前記放射線画像受信装置は、前記復号化処理手段により得たデータに基づくデータから解凍処理されたデータを得る解凍処理手段を有し、前記画像保存手段は、前記解凍処理手段により得た放射線画像データに基づく画像データを保存する請求の範囲第１９項に記載の放射線画像通信システム。
【請求項２１】
放射線撮影により放射線画像データを得る放射線画像取得手段と、データ信号を無線通信により送信する通信手段とを有するカセッテに搭載されるコンピュータに、
前記放射線画像取得手段により取得した前記放射線画像データに基づく画像データから暗号化処理されたデータを得る暗号化処理機能と、前記暗号化処理機能により暗号化処理されたデータに基づくデータから得られたデータ信号を前記通信手段に無線通信により送信させる通信機能とを実現させるプログラム。
【請求項２２】
前記放射線画像取得手段により取得した前記放射線画像データに基づく画像データから圧縮処理されたデータを得る圧縮処理機能を有し、
前記暗号化処理機能は、前記圧縮処理機能により圧縮処理されたデータに基づくデータから暗号化処理されたデータを得るものである請求の範囲第２１項に記載のプログラム。
【請求項２３】
データ信号を受信して暗号化処理されたデータを得るコンソール通信手段と、画像データを保存する画像保存手段とを有するコンソールに搭載されるコンピュータに、
前記コンソール通信手段により得た前記暗号化処理されたデータに基づくデータを復号化処理する復号化処理機能と、前記復号化処理手段により得た放射線画像データに基づく画像データを前記画像保存手段に保存させる画像保存機能とを実現させるプログラム。
【請求項２４】
前記復号化処理機能により得たデータに基づくデータから解凍処理されたデータを得る解凍処理機能を有し、
前記画像保存機能は、前記解凍処理機能により得た放射線画像データに基づく画像データを前記画像保存手段に保存させるものである請求の範囲第２３項に記載のプログラム。
【発明の詳細な説明】
【技術分野】
【０００１】
本発明は、放射線画像取得システム、カセッテ、コンソール、放射線画像通信システム及びプログラムに関するものである。
【背景技術】
【０００２】
Ｘ線等の放射線を用いた撮影において、従来のＣＲ（Computed Radiography）や、フィルムによる撮影ではＸ線撮影から撮影画像の確認まで数十秒から数分必要であった。このため、画像確認の結果、撮影不良であった場合には、既に撮影室から出て着衣し、又は、放射線科から出た被写体を呼び戻して再撮影する必要があった。【０００３】
そこで、近年、多数の光電変換素子をマトリクス状に配した薄型平板状の所謂「フラットパネルディテクタ（Flat Panel Detector）（以下「ＦＰＤ」と称する。）」を放射線画像取得装置として用いたＤＲ（Digital Radiography）が提案されている。ＦＰＤは、照射されたＸ線を検出して電気信号に光電変換し、光電変換後の電気信号を画像処理することにより、Ｘ線画像を得るものであり、Ｘ線撮影から数秒で撮影画像を確認できる。【０００４】
放射線画像取得装置としては、ＦＰＤをカセッテに内蔵し持ち運び自在とした携帯型（カセッテ型）のものが開発されている。しかし、従来は、ＦＰＤを内蔵したカセッテと画像確認用のコンソールとがケーブルで結ばれたものであったため、Ｘ線撮影時にケーブルが被写体に絡みつかないように、カセッテを取り回す必要があり、取り回しが厄介であるという問題があった。【０００５】
このような問題に対し、カセッテをケーブルレスにしてカセッテの取り回しを容易にするため、特許文献１〜６のように、ＦＰＤを内蔵したカセッテに無線通信部と内部電源を設け、無線（無線通信のこと）を介して外部機器と通信する装置が提案されている。【０００６】
また、従来、特許文献７、８に示すように、医用診断画像を圧縮し暗号化して他の機器に伝送することが提案されている。
【特許文献１】特開２００４−１８０９３１号公報
【特許文献２】特開２００４−１７３９０７号公報（対応米国特許公開２００４−１１４７２５号公報）
【特許文献３】特開２００２−１９１５８６号公報
【特許文献４】特開２００４−４９８８７号公報（対応米国特許公開２００３−２２３５４０号公報）
【特許文献５】特開２００４−９７６３５号公報
【特許文献６】特開２００４−１０１４４２号公報
【特許文献７】特開２００３−１２６０４６号公報（対応米国特許公開２００３−０３５５８４号公報）
【特許文献８】特開２００４−５７５９２号公報
【発明の開示】
【発明が解決しようとする課題】
【０００７】
ところで、無線通信の方法としては、光通信や電波などを用いて大容量データを高速に通信する方法があり、例えば、無線ＬＡＮの規格であるＩＥＥＥ８０２．１１ａ、ＩＥＥＥ８０２．１１ｂ、ＩＥＥＥ８０２．１１ｇ等に適合した無線ＬＡＮによる方法が挙げられる。そして、放射線画像取得システムにおいては、通常、鉛板で囲まれた放射線撮影室内で用いられるので、このように無線通信をしても、放射線画像データが漏洩しないと思われていた。また、無線通信する放射線画像データに個人を特定する情報を付属させなければ、万一漏洩しても、誰の画像なのか全く不明なので問題にならないと思われていた。【０００８】
しかしながら、実際には、鉛板で囲まれた放射線撮影室以外の場所で放射線撮影することもあるし、また、放射線画像データ自体に個人を特定する情報が付されていなくても、別の方法で目的の個人の放射線撮影のタイミングを特定すれば、目的の個人の放射線画像データを得ることができるという問題があることを発見した。
ここで、前記した特許文献１〜６には、無線通信を暗号化することについては記載されていない。また、前記した特許文献７、８には、放射線画像取得装置とコンソール間の無線通信を暗号化することは記載されていない。【０００９】
本発明は以上のような課題を解決するためになされたものであり、無線通信で送信されたデータが万一漏洩しても、漏洩したデータから放射線画像を得ることが実質的にできないようにすることができる放射線画像取得システム、カセッテ、コンソール、放射線画像通信システム及びプログラムを提供することを目的とする。
【図面の簡単な説明】
【００１０】
【図１】本発明の一実施形態のＸ線画像取得システムの概略構成を示す図である。
【図２】本発明の一実施形態のカセッテの概略構成を示す斜視図である。
【図３】本発明の一実施形態のパネルを中心としたカセッテの断面図である。
【図４】本発明の一実施形態の光検出器を中心とした回路の構成を示す回路図である。
【図５】本発明の一実施形態の暗号化処理手段の構成を示す図である。
【図６】本発明の一実施形態の復号化処理手段の構成を示す図である。
【図７】本発明の一実施形態のＸ線画像取得システムの変形例の概略構成を示す図である。
【発明を実施するための最良の形態】
【００１１】
以下、用語について説明する。
無線通信には、電波による通信と光による通信と超音波による通信などが挙げられるが、放射線画像データの通信には、電波による通信又は光による通信が好ましい。
電波による通信には、１ＧＨｚ超の周波数の電波により送信する方法と１ＧＨｚ以下の周波数の電波を用いて通信する方法が挙げられるが、本発明の前記放射線画像取得手段が放射線画像データを得るための情報の通信には、１ＧＨｚ以下の周波数の電波を用いて通信する方法が好ましい。【００１２】
そして、１ＧＨｚ超の周波数の電波により送信する方法には、例えば、１．４ＧＨｚ帯や２ＧＨｚ帯や２．１ＧＨｚ帯などを利用した次世代携帯電話による方法、ＩＥＥＥ８０２．１１ａ、ＩＥＥＥ８０２．１１ｂ、ＩＥＥＥ８０２．１１ｇ等の規格に適合した２．４ＧＨｚ帯や５．２ＧＨｚ帯などを用いた無線ＬＡＮによる方法や、１８ＧＨｚ帯や１９ＧＨｚ帯などを利用したＦＷＡ（Fixed Wireless Access、固定無線アクセス）を用いた方法や、２．４５ＧＨｚ帯を利用したＢｌｕｅｔｏｏｔｈや２．４ＧＨｚ帯を利用したＨｏｍｅＲＦ（Home Radio Frequency）を用いた方法などの無線通信規格に基づく方法や、ＵＷＢ（Ultra Wide Band）すなわち超広帯域の電波を利用した通信方法や、２．４ＧＨｚ帯や５．８ＧＨｚ帯などを利用した産業科学医療用周波数帯（ＩＳＭ：Industrial, Scientific and Medical band）を利用する方法などがある。そして、「シャドウイング(Shadowing)」や「マルチパスフェージング(Multi Pass Fading)」等の問題の少ない電波の回り込みと通信回路の小型化・低コスト化の観点から、１０ＧＨz以下（特に、３ＧＨz以下）の周波数の電波が好ましい。【００１３】
また、１ＧＨｚ以下の周波数の電波を用いて通信する方法には、例えば７×１０ＭＨｚ帯や４×１０2ＭＨｚ帯を利用した特定小電力無線による方法、ＰＨＳによる方法、８×１０2ＭＨｚ帯や９×１０2ＭＨｚ帯を利用した携帯電話による方法などが挙げられる。１ＧＨｚ以下の周波数の電波としては、電波の回りこみの観点から、８×１０2ＭＨz以下（特に、４×１０2ＭＨz以下）の周波数の電波が好ましい。また、アンテナの小型化の観点から、３×１０ＭＨz以上（特に、１×１０2ＭＨz以上）の周波数の電波が好ましい。【００１４】
光による通信に用いられる光は、遠赤外線、近赤外線、可視光、紫外線などが挙げられるが、近赤外線（特に７００ｎｍ以上２０００ｎｍ以下の波長の近赤外線）を用いた通信が好ましい。【００１５】
また、これらの無線通信によるコンソールとカセッテの間の無線通信は、コンソールとカセッテとが直接、無線通信する形態であっても良いし、途中に無線中継器を設けて、無線中継器を介して無線通信する形態であってもよい。また、これらの電波による無線通信は、アナログ通信であっても、デジタル通信であってもよい。
また、カセッテの電源は、カセッテと電力線を介して接続された電源ユニットや交流電源など外部から電力を供給する外部電源でも良いが、カセッテに設けられた内部電源が取り回し易く好ましい。また、カセッテに設けられた内部電源として、カセッテに外接して設けられた電源ユニットでも良いが、カセッテ内に設けられた内部電源である事が好ましい。【００１６】
放射線は、強い電離作用や蛍光作用を有する電磁波や粒子線のことで、Ｘ線、γ線、β線、α線、重陽子線、陽子線その他の重荷電粒子線及び中性子線が挙げられる。本発明においては、放射線として、電子線、Ｘ線、γ線が好ましく、特にＸ線が好ましい。【００１７】
コンソールとは、操作者がカセッテと交信を行うための装置で、別体の表示装置や操作装置が接続可能であってもよいし、表示装置や操作装置が一体であってもよい。【００１８】
暗号化とは、通信途中で第三者に盗み見られたり改ざんされたりされないよう、決まった規則に従ってデータを変換することである。暗号化の方法としては、ＲＳＡ、ＥｌＧａｍａｌ暗号、楕円曲線暗号などの公開鍵暗号による方法と、ＲＣ４、ＤＥＳ、ＩＤＥＡ、ＦＥＡＬ、ＭＩＳＴＹなどの秘密鍵暗号による方法が挙げられるが、いずれでもよい。また、ＩＥＥＥ  ８０２．１１ｂのセキュリティシステムとして採用されているＷＥＰなど通信規格に採用されている暗号化の方法でもよい。【００１９】
また、放射線画像取得手段により得た放射線画像データを直接、暗号化処理しても良いし、圧縮処理など他の処理をしてから暗号化処理しても良い。そして、放射線画像取得手段により得た放射線画像データから圧縮処理したデータを得てから暗号化することが、放射線撮影の素抜け部が存在するなどの放射線画像データの冗長性が緩和され暗号解読の困難性が増すので、好ましい。
また、暗号化処理して得られたデータを直接送信しても良いし、他の処理をしてから送信しても良い。【００２０】
圧縮とは、一定の手順にしたがって、データの意味を保ったまま、容量を削減する処理のことで、ハフマン符号化などのデータを完全に復元できる可逆圧縮と、ＪＰＥＧ圧縮などのデータにある程度の損失が生じる不可逆圧縮とが挙げられるが、可逆圧縮が好ましい。
また、放射線画像取得手段により得た放射線画像データを直接、圧縮処理しても良いし、補正処理など他の処理をしてから圧縮処理しても良い。また、圧縮処理されたデータを直接暗号化処理してもよいし、他の処理をしてから暗号化処理してもよい。【００２１】
復号化とは、暗号化されたデータを元に戻し、読める状態に戻すことである。なお、復号化処理は、暗号化処理の後処理に応じて、コンソール通信手段により得たデータを直接復号化しても良いし、暗号化処理後の処理に応じた処理をした後に解凍してもよい。また、復号化処理の後に、暗号化処理の前処理に応じて、復号化処理後に処理をしてもよい。【００２２】
解凍とは、圧縮処理によってデータの意味を保ったまま容量を削減されたデータを、元の状態に復元することである。なお、解凍処理は、圧縮処理後の暗号化処理前の処理に応じて、復号化処理により得たデータを直接解凍しても良いし、他の処理をした後に解凍してもよい。また、圧縮処理の前処理に応じて、解凍処理により得たデータを直接保存しても良いし、他の処理をした後に保存してもよい。【００２３】
以下、図面を参照しながら本発明の実施形態について説明する。なお、本発明がこれらの実施形態に限られないことは、述べるまでもない。
発明の実施の形態欄の記載は、発明を実施するために発明者が最良と認識している形態を示すものであり、発明の範囲や、請求の範囲に用いられている用語を一見、断定又は定義するような表現もあるが、これらは、あくまで、発明者が最良と認識している形態を特定するための表現であり、発明の範囲や、請求の範囲に用いられている用語を特定又は限定するものではない。【００２４】
図１〜６を参照しながら本発明に係る放射線画像取得システムの一実施形態について説明する。【００２５】
図１に示すように、本実施形態に係るＸ線画像取得システム１０００は、放射線画像データを取得する放射線画像取得システムの一種であり、放射線の一種であるＸ線を用いてＸ線画像データを得るものである。Ｘ線画像取得システム１０００は、病院内で行われるＸ線画像撮影を想定したシステムであり、例えば、被写体にＸ線を照射するＸ線撮影室Ｒ１と、Ｘ線技師が被写体に照射するＸ線の制御や、Ｘ線を照射して取得したＸ線画像の画像処理等を行うＸ線制御室Ｒ２とに配置されるものである。【００２６】
Ｘ線制御室Ｒ２には、コンソール１が設けられている。このコンソール１によってＸ線画像取得システム１０００全体が制御され、Ｘ線画像撮影の制御や取得したＸ線画像の画像処理が行われる。
コンソール１には、操作者が撮影準備指示や撮影指示、指示内容を入力する操作入力部２が接続されている。操作入力部２としては、例えば、Ｘ線照射要求スイッチやタッチパネル、マウス、キーボード、ジョイスティック等を用いることが可能であり、操作入力部２を介して、Ｘ線管電圧やＸ線管電流、Ｘ線照射時間等のＸ線撮影条件、撮影タイミング、撮影部位、撮影方法等のＸ線撮影制御条件、画像処理条件、画像出力条件、カセッテ選択情報、オーダ選択情報、被写体ＩＤ等の指示内容がコンソール１に入力される。
更に、コンソール１には、Ｘ線画像などを表示する表示部３が接続されており、コンソール１を構成している表示制御部１１により表示部３の表示が制御される。表示部３としては、例えば、液晶モニタ、ＣＲＴ（Cathode Ray Tube）モニタ等のモニタ、電子ペーパ、電子フィルム等を用いることができる。表示部３には、コンソール１の表示制御部１１の制御により、Ｘ線撮影条件や画像処理条件等の文字及びＸ線画像を表示する。【００２７】
また、コンソール１は、表示制御部１１、入力部１２、コンソール制御部１３、コンソール通信部１４、画像処理部１５、画像保存部１６、コンソール電源部１７、ネットワーク通信部１８等を備えている。表示制御部１１、入力部１２、コンソール制御部１３、コンソール通信部１４、画像処理部１５、画像保存部１６、コンソール電源部１７、ネットワーク通信部１８は、それぞれバスに接続しており、データ交換可能である。【００２８】
入力部１２は、操作入力部２からの指示内容を受信する。【００２９】
コンソール制御部１３は、入力部１２が操作入力部２から受信した指示内容やネットワーク通信部１８がＨＩＳ／ＲＩＳ７１から受信したオーダ情報に基づいて撮影条件を決定する。そしてコンソール制御部１３は、コンソール通信部１４がＸ線源４とカセッテ５とに撮影条件に関する撮影条件情報などの撮影に有用な撮影用信号を送信し、Ｘ線源４とカセッテ５とを制御してＸ線画像撮影をする。
また、コンソール制御部１３は、カセッテ５から送信されてコンソール通信部１４が受信したＸ線画像データを画像保存部１６に一時保存させる。また、コンソール制御部１３は、画像保存部１６に一時保存したＸ線画像データからサムネイルＸ線画像データを画像処理部１５が作成するように制御する。表示制御部１１は、作成されたサムネイルＸ線画像データに基づいて、表示部３がサムネイル画像を表示するように制御する。そして、コンソール制御部１３は、入力部１２が受信した指示内容やＨＩＳ／ＲＩＳ７１のオーダ情報に基づいた画像処理を画像処理部１５がＸ線画像データに行い、この画像処理をされたＸ線画像データを画像保存部１６に保存するように制御する。そして、画像処理部１５が画像処理した結果のＸ線画像データに基づいて、処理結果のサムネイル画像を表示部３が表示するように、表示制御部１１を制御する。更に、コンソール制御部１３は、その後に入力部１２が操作入力部２から受信した指示内容に基づいて、Ｘ線画像データの再画像処理を画像処理部１５に行わせたり、その画像処理結果の表示を表示部３がするように表示制御部１１を制御したり、又、Ｘ線画像データをネットワーク上の外部装置に転送、保存、表示させるようにネットワーク通信部１８を制御したりしたりする。【００３０】
また、コンソール制御部１３は送信制御装置として、カセッテ（放射線画像取得装置）５が送信するチャンネルと、他の機器がマイクロ波で送信するチャンネルを管理する機能を有している。すなわち、コンソール制御部１３は、カセッテ５が所定のチャンネルのマイクロ波で送信する際に、他の機器が当該チャンネルのマイクロ波で送信して混信することがないように制御する。例えば、コンソール制御部１３は、コンソール通信部１４と通信ケーブルで接続された無線中継器６を介して、新しい機器が導入されたとき又は常時、無線中継器６のアンテナから得られる無線通信のチャンネル情報を取得し、他の機器がどのチャンネルを使用しているかを確認して記憶するようになっている。そして、当該他の機器のチャンネルとカセッテ５で使用するチャンネルが同じとなってしまう場合には、コンソール制御部１３は、可能であればカセッテ５のチャンネルを変更し、また可能であれば他の機器のチャンネルを変更するように制御する。また、ぞれぞれのチャンネルの変更が不可能である場合には、コンソール制御部１３は、放射線Ｘ線画像データの送信時等に、他の機器を使用しないように表示部３が警告表示をするように表示制御部１１を制御する。【００３１】
コンソール制御部１３としては、ＣＰＵ（Central Processing Unit）及びＲＡＭ（Random Access Memory）やＲＯＭ（Read Only Memory）等のメモリが搭載されているマザーボードを適用することが可能である。
ＣＰＵは、ＲＯＭ又はハードディスクに記憶されているプログラムを読み出し、ＲＡＭ上にプログラムを展開し、展開したプログラムに従ってコンソール１の各部、Ｘ線源４、カセッテ５、外部装置を制御する。また、ＣＰＵは、ＲＯＭ又はハードディスクに記憶されているシステムプログラムをはじめとする各種処理プログラムを読み出してＲＡＭ上に展開し、後述する各種処理を実行する。
ＲＡＭは、揮発性のメモリであり、コンソール制御部１３のＣＰＵにより実行制御される各種処理において、ＲＯＭから読み出されてＣＰＵで実行可能な各種プログラム、入力もしくは出力データ等を一時的に記憶するワークエリアを形成する。
ＲＯＭは、例えば、不揮発性のメモリであり、ＣＰＵで実行されるシステムプログラム、システムプログラムに対応する各種プログラムなどを記憶する。これらの各種プログラムは、読取可能なプログラムコードの形態で格納され、ＣＰＵは、当該プログラムコードに従った動作を逐次実行する。
また、ＲＯＭの代わりにハードディスクを用いてもよい。この場合、ハードディスクは、ＣＰＵで実行されるシステムプログラムと各種アプリケーションプログラムを記憶する。また、ハードディスクは、その一部もしくは全部をサーバ等の他の機器からネットワーク回線の伝送媒体を介してコンソール通信部１４から、本発明のプログラムなどの各種アプリケーションプログラムを受信して記憶するようにしてもよい。更に、ＣＰＵは、ネットワーク上に設けられたサーバのハードディスクなどの記憶装置から本発明のプログラム等の各種アプリケーションプログラムを受信し、ＲＡＭ上に展開して、本発明の処理などの各種処理をするようにしてもよい。【００３２】
表示制御部１１は、コンソール制御部１３の制御に基づいて、Ｘ線画像データや文字データなどに基づいて、表示部３が画像や文字などを表示するように制御する。表示制御部１１には、グラフィックボード等を用いることができる。【００３３】
コンソール通信部（コンソール通信手段）１４は、Ｘ線源４及び無線中継器６にそれぞれ通信ケーブルを介して接続されており、コンソール通信部１４が無線中継器６を介してカセッテ５と通信可能である。コンソール通信部１４は、コンソール制御部１３からの指示内容に基づいた各種の制御信号や各種情報などの撮影用信号をＸ線源４及びカセッテ５に送信可能である一方、カセッテからの動作状態を伝える信号や各種情報などの撮影用信号を受信可能である。また、コンソール通信部１４は、指示内容に基づいた各種の制御信号や各種情報などの撮影用信号をＸ線源４に送信可能であるとともに、Ｘ線源４からの動作状態を伝える信号や各種情報などの撮影用信号を受信可能である。
また、コンソール通信部１４は、カセッテ５から送信されるＸ線画像データを受信可能である。
コンソール通信部１４とＸ線源４及び無線中継器６を接続している通信ケーブルは、着脱可能である。通信ケーブルが接続されているときは、画像転送が高速に行えるのでＸ線撮影によるＸ線画像取得、Ｘ線画像処理、Ｘ線画像確認等をより短時間で行うことが可能である。【００３４】
画像処理部１５は、コンソール通信部１４がカセッテ５から受信したＸ線画像データを画像処理する。画像処理部１５では、指示内容に基づいてＸ線画像データの補正処理、拡大圧縮処理、空間フィルタリング処理、リカーシブ処理、階調処理、散乱線補正処理、グリッド補正処理、周波数強調処理、ダイナミックレンジ（ＤＲ）圧縮処理等の画像処理が行われる。【００３５】
画像保存部（画像保存手段）１６は、Ｘ線画像データを記憶する記憶装置を有しており、コンソール通信部１４がカセッテ５から受信したＸ線画像データの一時保存や、画像処理されたＸ線画像データの保存を行う。画像保存部１６としては、大容量かつ高速の記憶装置であるハードディスク、ＲＡＩＤ（Redundant Array of Independent Disks）等のハードディスクアレー、シリコンディスク等を用いることが可能である。【００３６】
コンソール電源部１７は、ＡＣ電源等の外部電源（図示せず）、又は、バッテリー、電池等の内部電源（図示せず）から電力を供給されており、コンソール１を構成する各部に電力を供給している。
コンソール電源部１７の外部電源は、着脱可能である。コンソール電源部１７が外部電源より電力を供給されるときは、充電の必要がないため長時間撮影を行うことが可能である。【００３７】
ネットワーク通信部１８は、ＬＡＮ（Local Area Network）によりコンソール１と外部装置との間で各種情報の通信を行うものである。外部装置としては、例えば、ＨＩＳ／ＲＩＳ（Hospital Information System／Radiology Information System：病院内情報システム／放射線科情報システム）端末７１、イメージャ７２、画像処理端末７３、ビューワ７４、ファイルサーバ７５等を接続することが可能である。ネットワーク通信部１８は、ＤＩＣＯＭ（Digital Imaging and Communications in Medicine）等所定のプロトコルに従ってＸ線画像データを外部装置に出力する。【００３８】
ＨＩＳ／ＲＩＳ端末７１は、ＨＩＳ／ＲＩＳから、被写体の情報や撮影部位及び撮影方法などの情報を取得し、コンソール１に提供する。イメージャ７２は、コンソール１から出力されたＸ線画像データに基づいてＸ線画像をフィルムなどの画像記録媒体に記録する。画像処理端末７３は、コンソール１から出力されたＸ線画像データの画像処理やＣＡＤ（Computer Aided Diagnosis：コンピュータ診断支援）のための処理をして、ファイルサーバ７５に保存する。ビューワ７４は、コンソール１から出力されたＸ線画像データに基づいてＸ線画像を表示する。ファイルサーバ７５は、処理画像処理されたＸ線画像データを保存するファイルサーバである。【００３９】
なお、本実施形態では、表示制御部１１とコンソール制御部１３とが別体に設けられた例であるが、表示制御部とコンソール制御部とが一体であってもよい。例えば、コンソール制御部としてＣＰＵ及びメモリが搭載されているマザーボードを用い、表示制御部としてこのマザーボードに内蔵されたグラフィックサブシステムを用いることが挙げられる。また、コンソール制御部１３が表示制御部を兼ねても良い。また、本実施形態では、画像処理部１５は、コンソール制御部１３と別体であるが、コンソール制御部１３が画像処理部を兼ねても良い。【００４０】
また、本実施形態では、コンソール制御部１３が送信制御装置の機能を有しており、両者が一体となっているが、これに限らず、コンソール制御部１３と送信制御装置が別体で構成されていても良い。その場合、送信制御装置は、コンソール１内に備えられていても良いし、コンソール１とは別の装置として、独立して設けられるようになっていても良い。【００４１】
Ｘ線撮影室Ｒ１には、前記コンソール１とカセッテ５との間での通信を中継する無線中継器６が設置されている。【００４２】
無線中継器６は、カセッテ５との間で後述する無線方式にて無線通信をする。また、コンソール１とは通信ケーブルを介して通信する。そして、無線中継器６を介して、コンソール１から送信された制御信号がカセッテ５に受信され、又、カセッテ５から各種の信号がコンソール１に送信される。【００４３】
また、本実施形態において、無線中継器６は、後述するカセッテ５の内部電源５１を充電する充電器の機能を具備している。無線中継器６にはコネクタが備えられており、このコネクタとカセッテ５とが接続されるとカセッテ５の内部電源５１が充電される。無線中継器６は、カセッテ５の着脱が容易なように形成されていることが好ましい。また、無線中継器６は、カセッテ５の充電器としての機能の他に、カセッテ５が未使用時におけるホルダとしての機能を具備してもよい。【００４４】
Ｘ線撮影室Ｒ１には、また、被写体にＸ線を照射するＸ線源４と、被写体に照射されたＸ線を検出してＸ線画像データを取得する放射線画像取得装置としてのカセッテ５とが配置される。Ｘ線撮影室Ｒ１はＸ線源４のＸ線が当該Ｘ線撮影室Ｒ１の外部に漏出しないようにＸ線遮蔽部材で覆われた室となっている。通常、このようなＸ線遮蔽部材は、例えば鉛板のような金属製部材すなわち導電性部材であり、電波の透過を抑える性質や電波を反射する性質を持つ。
また、本実施形態において、カセッテ５は携帯可能なもので、Ｘ線撮影室Ｒ１の外部にも持ち出せるようになっている。【００４５】
更に、Ｘ線撮影室Ｒ１には、無線中継器６が設置されている。無線中継器６は、カセッテ５との間で無線通信をする。また、無線中継器６は、コンソール１とは通信ケーブルを介して通信する。そのため、カセッテ５と無線中継器６との間の通信においては、通信用のケーブルが不要であり、Ｘ線撮影時において当該ケーブルが被写体に絡みつかないように注意を払いながらカセッテ５を取り扱うといった事態を回避することができる。
また、無線中継器６はコンソール１と通信ケーブルを介して通信する。そして、無線中継器６を介して、カセッテ５が取得した画像データがコンソール１に送信され、又、コンソール１とカセッテ５の間で、制御信号や各種情報などの撮影用信号が通信される。これにより、コンソール１と無線中継器６とがケーブルにより接続されていて、Ｘ線撮影室Ｒ１に無線中継器６を配置することで、コンソール１とは放射線遮蔽部材で隔てられたＸ線撮影室Ｒ１でカセッテ５が用いられても、良好な無線通信をすることができる。【００４６】
また、無線中継器６は、カセッテ５の充電器の機能と、カセッテ５の未使用時におけるホルダの機能とを具備していることが好ましい。
例えば、無線中継器６にはコネクタが備えられており、このコネクタとカセッテ５とが接続されるとカセッテ５の内部電源部５１が充電される。このとき、無線中継器６は、カセッテ５の着脱が容易なように形成されていることが好ましい。また、無線中継器６は、カセッテ５を充電しながら保持する形状であることが好ましく、これにより、カセッテ５が未使用時におけるホルダとして機能しつつ、充電器としても機能することが好ましい。【００４７】
まず、Ｘ線源４には、高圧電圧を発生する高圧発生源４１及び高圧発生源４１により高圧電圧が印加されるとＸ線を発生するＸ線管４２が配設されている。Ｘ線管４２のＸ線照射口には、Ｘ線照射範囲を調整するＸ線絞り装置（図示せず）が設けられている。Ｘ線絞り装置は、コンソール１からの制御信号に従ってＸ線照射方向を制御するので、Ｘ線照射範囲が撮影領域に応じて調整される。更に、Ｘ線源４には、Ｘ線源制御部４３が配設されており、高圧発生源４１及びＸ線管４２は、Ｘ線源制御部４３とそれぞれ接続されている。Ｘ線源制御部４３は、コンソール通信部１４から送信された制御信号に基づいて、Ｘ線源４の各部を駆動制御する。すなわち、Ｘ線源制御部４３は、高圧発生源４１とＸ線管４２とを制御する。【００４８】
次に、本実施形態において、放射線画像取得装置としてのカセッテ５は、図２に示すように筐体５５を備えており、筐体５５により内部が保護されて携帯可能なものである。筐体５５には、アルミニウム、マグネシウムのような軽金属が用いられている。筐体５５に軽量金属を用いたことにより、筐体５５の強度を保持することができるようになっている。
Ｘ線撮影前に、被写体の所望の位置・向きで透過したＸ線を撮影するように操作者によりカセッテ５と被写体の位置と向きが調整されて配置される（場合により、Ｘ線源６の位置と向きも調整されて配置される。）。その後、コンソール１からの指示でＸ線源４がＸ線を発生させる。すると、カセッテ５には、Ｘ線源４から所望の位置・向きの被写体を透過したＸ線が入射する。【００４９】
カセッテ５には、内部電源５１、カセッテ通信部５２、カセッテ制御部５３、パネル５４が配設されている。内部電源５１、カセッテ通信部５２、カセッテ制御部５３、パネル５４は、それぞれカセッテ５内のバスに接続されている。【００５０】
内部電源５１は、カセッテ５内に配設された放射線画像取得手段としてのパネル５４、通信手段としてのカセッテ通信部５２、制御手段としてのカセッテ制御部５３等の各部に、これらを駆動するための電力を供給する。内部電源５１には、充電可能でかつ撮影時に消費する電力に対応可能なコンデンサが設けられている。コンデンサとしては、電解二重層コンデンサを適用することが可能である。また、内部電源５１としては、電池交換が必要なマンガン電池、ニッケル・カドミウム電池、水銀電池、鉛電池などの一次電池や、充電可能な二次電池を適用することが可能である。【００５１】
内部電源５１の容量は、撮影効率の観点から、最大サイズのＸ線画像を連続して撮影可能な枚数で換算して、４枚以上（特に７枚以上）であることが好ましい。
また、内部電源５１の容量は、小型化・軽量化・低コスト化の観点から、最大サイズのＸ線画像を連続して撮影可能な枚数で換算して、１００枚以下（特に５０枚以下）であることが好ましい。【００５２】
カセッテは、電力の供給状態が異なる複数の電力供給の状態を有し、適切なタイミングでカセッテの電力供給の状態を変えることが好ましい。このような電力の供給状態としては、例えば、撮影可能状態と、撮影可能状態より電力消費の低い状態を有することが好ましく、特に、撮影可能状態より電力消費の低い状態として、１又は複数の撮影待機モード制御下の状態と、更に消費電力の低いスリープモード制御下の状態を有することが好ましい。【００５３】
なお、撮影動作とは、放射線撮影により放射線画像データを得るのに必要な動作のことで、例えば、実施形態で示すパネルであれば、パネルの初期化、放射線照射によって生成された電気エネルギーの蓄積、電気信号の読み取り、及び、放射線画像データ化の各動作が該当する。
そして、撮影可能状態とは、直ちにこの撮影動作により放射線画像データを得ることができる状態のことである。【００５４】
カセッテ通信部５２は、コンソール通信部１４と各種信号を送受信するアンテナ５２１とアンテナ５２１に入力された受信信号を復調したり、各種信号を変調増幅してアンテナ５２１に出力したりする無線回路５２２とにより構成されており、カセッテ通信部５２は、無線中継器６を介してコンソール通信部１４との間で各種の信号を無線通信により送受信することが可能な通信手段として機能するものである。【００５５】
図２に示すように、アンテナ５２１は、筐体５５の外部に設けられている。具体的には、筐体５５の外側、カセッテ５の側面に近接して配設されている。カセッテ５の側面ではなく、Ｘ線が照射される側と反対側の裏面に近接して設けても良い。なお、アンテナの形状及び配置は、図示したものに限定されない。
また、筐体５５の内部には、アンテナ５２１が接続される無線回路５２２が設けられており、無線回路５２２が駆動することによりアンテナ５２１が電波を送受信する。本実施形態では、このアンテナ５２１及び無線回路５２２に適用する電波は、予め設定された所定のチャンネルの１ＧＨｚ超の周波数の電波である。なお、１ＧＨｚ超の周波数の電波に限定されるものではなく、信号の送受信を確実に行うために、直進性、指向性の少ない１ＧＨｚ以下の周波数の電波を用いても良いし、光通信を用いても良い。【００５６】
コンソール通信部１４からカセッテ通信部５２に送信される信号としては、例えば、カセッテ５の内部の各種回路等の各駆動部に内部電源５１から電圧を印加するか否かを指示する指示信号がある。カセッテ５の動作状態として撮影可能な状態、撮影待機状態等複数の状態がある場合には、この指示信号によりカセッテ５の動作状態を切り替えることができる。また、Ｘ線を照射する旨を知らせる信号、パネル５４に対するＸ線画像データの読取タイミングを指示する指示信号（タイミング信号）、Ｘ線画像データを転送するよう指示する信号、Ｘ線画像データを正常に受信した旨を知らせる信号その他の信号が挙げられる。
他方、カセッテ通信部５２からコンソール通信部１４に送信される信号としては、例えば、カセッテ５の動作状態を知らせる信号、Ｘ線画像データを送信する準備ができたことを知らせる信号その他の撮影用信号が挙げられる。【００５７】
また、カセッテ通信部５２は、無線中継器６を介してコンソール通信部１４にＸ線画像データを送信することが可能である。すなわち、コンソール１から所定の信号が送信されると、カセッテ通信部５２は、アンテナ５２１及び無線中継器６通信ケーブルを介した無線方式の通信によりコンソール通信部１４に対して、パネルにより取得した大容量のＸ線画像データを高速かつ確実に送信可能である。【００５８】
また、カセッテ制御部５３は制御手段として、カセッテ通信部５２が受信した制御信号などの撮影用信号に基づいて、カセッテ５に配設されたパネル５４、カセッテ通信部５２等の各部を制御する。【００５９】
パネル５４は、被写体を透過したＸ線に基づいてＸ線画像データを出力（検出）する放射線画像取得手段として機能する。また、本実施形態のパネル５４は、間接型フラットパネルディテクタ（FPD：Flat Panel Detector）である。【００６０】
図２にカセッテ５の概略構成を示す斜視図を、図３にパネル５４を中心としたカセッテ５の断面図を示す。
なお、本実施形態では、図２及び図３に示した例を説明するが、これに限定されず、シンチレータの厚さや種類が異なるものや、撮像領域の面積であるパネルの面積が異なるものを用いることも適用可能である。シンチレータの厚さが厚いほど感度が高くなり、シンチレータの厚さが薄いほど空間分解能が高くなる。また、シンチレータの種類によって分光感度が異なる。【００６１】
パネル５４には、被写体を透過したＸ線を検出し、検出したＸ線を可視領域の蛍光（以下「可視光」と称す）に変換するシンチレータ５４１が層状に設けられている。
シンチレータ５４１は、蛍光体を主たる成分としている。シンチレータ５４１は、照射されたＸ線により蛍光体の母体物質が励起（吸収）し、その再結合エネルギーにより可視光を発光する層である。この蛍光体としては、例えば、ＣａＷＯ４、ＣｄＷＯ４等の母体物質により蛍光を発光するものや、ＣｓＩ：Ｔｌ、ＺｎＳ：Ａｇ等の母体物質内に付加された発光中心物質により蛍光を発光するものなどが挙げられる。【００６２】
シンチレータ５４１の上層には保護層（図示せず）が設けられていることが好ましい。保護層はシンチレータを保護するもので、シンチレータの上部及び辺縁を完全に覆っている。保護層としては、シンチレータの防湿保護の効果を有するものであればいずれの材料を用いてもよい。そして、シンチレータとして、吸湿性を有する蛍光体（特に、アルカリハライド、更に、アルカリハライドからなる柱状結晶蛍光体）が用いられる場合、例えばＵＳＰ ６４６９３０５号において開示された、ＣＶＤ法によって形成されたポリパラキシリレン製有機膜や、ポリシラザン、ポリシロキサザンなどのシラザン又はシロキサザンタイプのポリマー化合物を含むポリマーから形成される有機膜や、プラズマ重合法によって形成された有機膜などの防湿性有機膜を用いることが好ましい。【００６３】
シンチレータ５４１の下層には、アモルファスシリコンにより形成された放射線検出器と（Ｘ線検出器）しての光検出器５４２が積層して延在しており、この光検出器５４２によりシンチレータ５４１から発光する可視光が電気エネルギーに変換されて出力される。
そして、パネル５４は、Ｘ線画像による診断の診断性の観点から、１０００×１０００画素以上（特に２０００×２０００画素以上）の画素で構成されていることが好ましい。
また、パネル５４は、人の視認限界とＸ線画像の画像処理速度の観点から、１万×１万画素以下（特に６０００×６０００画素以下）の画素で構成されていることが好ましい。また、暗号化処理の高速化による通信の即時性を確保するためにも好ましい。
また、パネル５４の撮影領域のサイズは、Ｘ線画像による診断の診断性の観点から、１０ｃｍ×１０ｃｍ以上（特に、２０ｃｍ×２０ｃｍ以上）の面積であることが好ましい。
また、パネル５４の撮影領域のサイズは、カセッテとしての取り扱いやすさの観点から、７０ｃｍ×７０ｃｍ以下（特に５０ｃｍ×５０ｃｍ以下）の面積が好ましい。
また、パネル５４の一画素のサイズは、Ｘ線被爆量低減の観点から４０μｍ×４０μｍ以上（特に７０μｍ×７０μｍ以上）のサイズが好ましい。
また、パネル５４の一画素のサイズは、Ｘ線画像による診断の診断性の観点から２００μｍ×２００μｍ以下（特に１６０μｍ×１６０μｍ以下）が好ましい。
本実施形態では、パネル５４が４０９６×３０７２の画素から構成されており、撮影領域の面積が４３０ｍｍ×３２０ｍｍであり、１画素のサイズが１０５μｍ×１０５μｍとなっている。【００６４】
ここで、図４を参照しつつ、光検出器５４２を中心とした回路構成について説明する。【００６５】
図４に示すように、光検出器５４２には、照射されたＸ線の強度に応じて蓄積された電気エネルギーを読み出すための収集電極５４２１が二次元配設されている。この収集電極５４２１には、コンデンサ５４２４の一方の電極とされて、電気エネルギーがコンデンサ５４２４に蓄えられるようになっている。ここで、１つの収集電極５４２１は、Ｘ線画像データの１画素に対応するものである。
互いに隣接する収集電極５４２１の間には、走査線５４２２と信号線５４２３とが配設されている。走査線５４２２と信号線５４２３とは、直交している。【００６６】
コンデンサ５４２４には、電気エネルギーの蓄電及び読み取りを制御するスイッチング薄膜トランジスタ５４２５（ＴＦＴ：Thin Film Transistor、以下トランジスタと呼ぶ）が接続される。トランジスタ５４２５は、ドレイン電極あるいはソース電極が収集電極５４２１に接続されるとともに、ゲート電極は走査線５４２２に接続される。ドレイン電極が走査線５４２２に接続されるときには、ソース電極が信号線５４２３に接続され、ソース電極が収集電極５４２１に接続されるときには、ドレイン電極が信号線５４２３に接続される。また、パネル２１では、信号線５４２３に、例えばドレイン電極が接続された初期化用のトランジスタ５４２７が設けられている。このトランジスタ５４２７のソース電極は接地されている。また、ゲート電極はリセット線５４２６と接続される。
なお、トランジスタ５４２５とトランジスタ５４２７は、シリコン積層構造あるいは有機半導体で構成されていることが好ましい。【００６７】
また、走査駆動回路５４３には、走査駆動回路５４３からリセット信号ＲＴが送信されるリセット線５４２６が、信号線５４２３と直交して接続されている。
リセット線５４２６には、リセット信号ＲＴによりオン状態となる初期化用トランジスタ５４２７のゲート電極が接続されている。初期化用トランジスタ５４２７は、ゲート電極がリセット線５４２６に接続されるとともに、ドレイン電極が信号線５４２３と接続され、ソース電極が接地されている。ソース電極が信号線５４２３に接続されるときには、ドレイン電極が接地されている。
走査駆動回路５４３がリセット信号ＲＴをリセット線５４２６を介して初期化用トランジスタ５４２７に供給して初期化用トランジスタ５４２７をオン状態とするとともに、走査駆動回路５４３が走査線５４２２を介してトランジスタ５４２５に読み出し信号ＲＳを供給してトランジスタ５４２５をオン状態とすると、コンデンサ５４２４に蓄積された電気エネルギーがトランジスタ５４２５を介して光検出器５４２外に放出される。即ち、光検出器５４２から放出された電気エネルギーが信号線５４２３及び初期化用トランジスタ５４２７を介してグランド電極に放出される。以下、リセット信号ＲＴが供給されてコンデンサ５４２４に蓄積された電気エネルギーが光検出器５４２外に放出されることを、光検出器５４２のリセット（初期化）と称する。
また、走査線５４２２には、走査線５４２２に読み出し信号ＲＳを供給する走査駆動回路５４３が接続されている。読み出し信号ＲＳが供給された走査線５４２２に接続されているトランジスタ５４２５は、オン状態となり、トランジスタ５４２５と接続するコンデンサ５４２４に蓄積された電気エネルギーを読み出して信号線５４２３に供給する。すなわち、走査駆動回路５４３は、トランジスタ５４２５を駆動することで、Ｘ線画像データの画素毎の信号を生成することができる。【００６８】
信号線５４２３には、信号読取回路５４４が接続される。この信号読取回路５４４には、コンデンサ５４２４に蓄電されてから信号線５４２３に読み出された電気エネルギーが供給される。信号読取回路５４４には、信号読取回路５４４に供給された電気エネルギー量に比例する電圧信号ＳＶをＡ／Ｄ変換器５４４２に供給する信号変換器５４４１と、信号変換器５４４１からの電圧信号ＳＶをデジタル信号に変換してデータ変換部５４５に供給するＡ／Ｄ変換器５４４２とが設けられている。【００６９】
信号読取回路５４４には、データ変換部５４５が接続されている。このデータ変換部５４５は、信号読取回路５４４から供給されたデジタル信号に基づいてＸ線画像データを生成する。本実施形態においては、信号読取回路５４４とデータ変換部５４５とによって信号変換回路（データ変換回路）が構成されている。【００７０】
高分解能のＸ線画像データが必要でないときやＸ線画像データを速く取得したいときには、操作者が選択した撮影方法に応じて、コンソール制御部１３は、受信した間引き、画素平均、領域抽出などの制御信号がカセッテ制御部５３に送信する。カセッテ制御部５３は、受信した間引き、画素平均、領域抽出などの制御信号に応じて、以下の間引き、画素平均、領域抽出などを実行するように制御する。
間引きは、奇数列又は偶数列のみ読み出すことにより、読み出す画素数を全画素数の１／４に間引いたり、同様にして１／９、１／１６などに間引いたりすることにより行われる。なお、間引きの方法は、この方法に限られるものではない。
また、画素平均は、同時に複数の走査線５４２２を駆動し、同じ列方向の２画素のアナログ加算を行うことにより算出することが可能である。画素平均は、２画素の加算により算出することに限らず、列信号配線方向の複数画素のアナログ加算を行うことにより容易に得ることができる。更に、行方向の加算については、Ａ／Ｄ変換出力後に隣り合う画素をデジタル加算することにより、上述のアナログ加算と合わせて、２×２等の正方形画素の加算値を得ることができる。これらによって、照射されたＸ線を無駄にすることなく、高速にデータを読み出すことが可能である。
また、領域抽出は、Ｘ線画像データの取込領域を制限する手段がある。これは、撮影方法の指示内容などから必要なＸ線画像データの取得領域を特定し、この特定された取得領域に基づいてカセッテ制御部５３が走査駆動回路５４３のデータ取込範囲を変更し、この変更した取込範囲をパネル５４が駆動するものである。【００７１】
データ変換部５４５には、メモリ５４６が接続されている。このメモリ５４６は、データ変換部５４５により生成されたＸ線画像データを保存する。また、メモリ５４６には、予めゲイン補正用データが保存される。
メモリ５４６は、ＲＡＭ（Random Access Memory）及び不揮発性メモリにより構成される。このメモリ５４６は、データ変換部５４５により逐次生成されたＸ線画像データをＲＡＭに逐次書き込みをした後に不揮発性メモリに一括書き込みすることができる。不揮発性メモリは、ＥＥＰＲＯＭ、フラッシュメモリ等のメモリ部品２つ以上により構成されており、このメモリ部品の一方を消去している間に他方に書き込みをすることができる。
このように、カセッテ５はＸ線画像データを一時的に保存するために、Ｘ線画像データを一時的に記憶するメモリ５４６を備えているので、取得したＸ線画像データを一旦メモリ５４６に保存でき、圧縮処理や暗号化処理が余裕を持ってでき、通信不良や通信不能な状態であっても、通信状態が良くなるまでＸ線撮影を遅らせる必要がなく、そのメモリ５４６に保存したＸ線画像データを、カセッテ５とコンソール１との間の通信状態に応じた通信速度で、カセッテ５からコンソール１に送信することができる。なお、メモリ５４６の容量は、撮影の効率性の観点から、最大データサイズの画像の保存できる画像数で換算して、４以上（特に１０以上）が好ましい。また、メモリ５４６の容量は、低コスト化の観点から、最大データサイズの画像の保存できる画像数で換算して、１０００以下（特に１００以下）が好ましい。【００７２】
光検出器５４２の下層には、ガラス基板により形成された平板上の支持体５４７が設けられ、支持体５４７によりシンチレータ５４１及び光検出器５４２の積層構造が支持されている。
なお、シンチレータ５４１が上部及び辺縁が保護層で、下部が支持体５４７で完全に覆われた構成であることが好ましい。この場合、大気中の水蒸気が保護層と支持体５４７とで遮断され、シンチレータ５４１が水分で劣化するのを抑えられる。
支持体５４７の下面（即ち、支持体５４７のＸ線照射方向と反対側の面）には、Ｘ線量センサ５４８が設けられている。Ｘ線量センサ５４８は、光検出器５４２を透過したＸ線量を検出し、Ｘ線量が所定量に達すると、所定Ｘ線量信号をカセッテ制御部５３に送信する。また、本実施形態では、Ｘ線量センサ５４８として、アモルファスシリコン受光素子を用いている。だが、Ｘ線量センサは、これに限られず、結晶シリコンによる受光素子等を用いて直接Ｘ線を検出するＸ線センサや、シンチレータにより蛍光を検出するセンサを用いてもよい。【００７３】
支持体５４７及びＸ線量センサ５４８の下面（即ち、支持体５４７及びＸ線量センサのＸ線照射方向と反対側の面）には、Ｘ線遮蔽部材５４９が設けられている。Ｘ線遮蔽部材５４９は、例えば鉛等の放射線を吸収するとともに導電性を有する材料によって形成されている。なお、Ｘ線遮蔽部材５４９を形成する材料はここに例示したものに限定されない。照射されたＸ線は、Ｘ線遮蔽部材５４９により吸収され、Ｘ線遮蔽部材５４９を透過しない。Ｘ線遮蔽部材５４９の下面には、内部電源５１、カセッテ制御部（制御手段）５３及びデータ変換回路（信号読取回路５４４とデータ変換部５４５）が設けられている。内部電源５１、カセッテ制御部（制御手段）５３及びデータ変換回路においては、Ｘ線遮蔽部材５４９によりＸ線が吸収されるので、内部電源５１、カセッテ制御部（制御手段）５３及びデータ変換回路によりＸ線が散乱してパネル５４に反射することがない。これにより、パネル５４は、良質なＸ線画像データを取得することができる。
上述のように、カセッテ５は、内部電源部５１からの電力で駆動し、可搬型のケーブルレスであり、カセッテ通信部５２とコンソール通信部１４とが無線通信を介して通信するので、コンソール１との連動性を維持しつつ、操作性が良く、撮影効率を向上させることができる。
なお、本実施形態では、パネル５４が４０９６×３０７２画素を持つ１枚のパネルで構成された例を示したが、これに限定されず、例えば、パネル５４が２０４８×１５３６画素を持つ４枚の小パネルで構成されたものを用いることもできる。このように複数枚の小パネルからパネルを構成した場合、４つの小パネルを組みあわせて１枚のパネルとする手間が発生するが、各パネルの歩留まりが向上するので、全体としても歩留まりが向上し低コスト化するという利点がある。
更に、本実施形態では、シンチレータ５４１と光検出器５４２とを用いて照射されたＸ線の電気エネルギーを読み出す例を示したが、これに限定されず、Ｘ線を電気エネルギーに直接変換できる光検出器を適用することが可能である。例えば、アモルファスＳｅやＰｂＩ２等を用いたＸ線電気エネルギー変換部とアモルファスシリコンＴＦＴ等とにより構成されたＸ線検出器を用いるようにしてもよい。
また、本実施形態では、信号読取回路５４４に１つのＡ／Ｄ変換器５４４２が設けられた例を示したが、これに限定されず、複数のＡ／Ｄ変換器を適用することが可能である。  そして、Ａ／Ｄ変換器の数は、画像読取時間を短くして所望のＳ／Ｎ比を得るために、４以上、特に８以上であることが好ましい。
また、Ａ／Ｄ変換器の数は、低コスト化・小型化のために、６４以下、特に３２以下であることが好ましい。これにより、アナログ信号帯域及びＡ／Ｄ変換レートを不必要に大きくすることがない。
また、本実施形態では、ガラスにより形成された支持体５４７の例を示したが、これに限定されず、樹脂や金属等によって形成された支持体を適用することが可能である。【００７４】
なお、上記では、コンソール１はＸ線制御室Ｒ２に設置されている旨記載したが、コンソール１は無線通信可能な携帯端末であってもよい。この場合、Ｘ線制御室Ｒ２にも無線中継器を設置し、コンソール通信部１４は、Ｘ線撮影室Ｒ１内の無線中継器６ともＸ線制御室Ｒ２内の無線中継器とも無線通信可能で、その結果、Ｘ線撮影室Ｒ１内でもＸ線制御室Ｒ２内でもカセッテ５と通信できることが好ましい。これにより、撮影者は、従来のようにＸ線制御室Ｒ２内だけでなく、Ｘ線撮影室Ｒ１内で被写体に撮影位置等について指示をしながら当該コンソール１でＸ線画像を確認したり、Ｘ線画像データの画像処理を開始させたりすることができ、また、Ｘ線撮影室Ｒ１とＸ線制御室Ｒ２の間の移動時間でＸ線画像を確認したり、Ｘ線画像データの画像処理を開始させたりすることもでき、Ｘ線撮影からＸ線画像を確認するサイクルを繰り返すＸ線撮影全体のトータルの撮影効率を向上させることができる。また、この場合、送信データは圧縮・暗号化処理されたままのデータで送信されることが、Ｘ線画像データの漏洩防止と処理の単純化のために好ましい。【００７５】
次に、本発明の一実施形態によるＸ線画像取得システムによる動作について説明する。【００７６】
まず、コンソール制御部１３は、コンソール通信部１４と通信ケーブルで接続された無線中継器６を介して、新しい機器が導入されたとき又は常時、無線中継器６のアンテナから得られる無線通信のチャンネル情報を取得し、他の機器がどのチャンネルを使用しているかを確認して記憶するようになっている。また、新しい機器が導入されたときには、コンソール制御部１３は、導入された旨と使用しているチャンネル情報を表示制御部１１が表示部３に表示するように制御する。【００７７】
そして、コンソール制御部１３は、当該他の機器のチャンネルがカセッテ５で既に使用しているチャンネルと同じか否かの判定を行う。ここで、他の機器のチャンネルとカセッテ５で使用するチャンネルが異なる場合には、コンソール制御部１３は、その旨の表示を表示部３で行うように表示制御部１１を制御し、そのまま待機する。これに対し、他の機器のチャンネルとカセッテ５で使用するチャンネルが同じであった場合には、コンソール制御部１３は次のような制御を行う。【００７８】
まず、コンソール制御部１３は、保存しているチャンネルの使用状況から、空いているチャンネルを検索する。次に、コンソール制御部１３は、カセッテ５がチャンネル変更可能な装置であるか否かの判断を行う。カセッテ５がチャンネル変更可能であれば、コンソール制御部１３は、前記検索した空チャンネルのいずれかにカセッテ５のチャンネルを変更し、チャンネルを変更した旨と変更後のチャンネルの表示を表示部３で行うように表示制御部１１を制御する。
また、コンソール制御部１３は、カセッテ５がチャンネル変更不可能な装置であれば、その旨を表示部３に表示させた上で、新しく導入された他の機器がチャンネル変更可能な装置であるか否かの判断を行う。他の機器がチャンネル変更可能であれば、コンソール制御部１３は、前記検索した空チャンネルのいずれかに他の機器のチャンネルを変更し、チャンネルを変更した旨と変更後のチャンネルの表示を表示部３で行うように表示制御部１１を制御する。
また、他の機器もチャンネル変更不可能な装置であれば、コンソール制御部１３は、その旨の表示を表示部３で行うように表示制御部１１を制御した上で、Ｘ線画像データの送信時等に他の機器を使用しないように警告する表示を表示部３で行うように表示制御部１１を制御する。【００７９】
そして、コンソール制御部１３から撮影準備指示信号を受信するまで、カセッテ制御部５３は、走査駆動回路５４３をオフ状態に保つように制御する。カセッテ制御部５３は、オフ状態に保つために、走査線５４２２、信号線５４２３、リセット線５４２６の電位を同電位にし、収集電極５４２１にバイアスを印加しないように、走査駆動回路５４３をカセッテ制御部５３が制御する。また、カセッテ制御部５３は、信号読取回路５４４の電源をオフ状態に保ち、走査線５４２２、信号線５４２３、リセット線５４２６の電位をＧＮＤ電位にしてもよい。【００８０】
走査駆動回路５４３及び信号読取回路５４４にバイアスが印加されていない状態には、撮影待機モードとスリープモードとがある。
なお、撮影待機モードでは、フォトダイオードへバイアス電位を印加しないだけでなく、走査駆動回路５４３及び信号読取回路５４４は立ち上がりが早いので、走査駆動回路５４３及び信号読取回路５４４にも電力供給をしないことが、電力消費を更に抑えることができ好ましい。更に、撮影待機モードでは、信号が発生しないので、データ変換部５４５にも電力供給しないことが、電力消費を更に抑えることができ好ましい。
また、撮影待機モードよりも更に消費電力の少ないスリープモードを設けることが好ましい。そして、撮影済み画像をコンソール１に完全に送信後、スリープモードに移行することが好ましい。そして、スリープモードでは、コンソール１から指示により撮影待機モードへ立ち上がるのに必要な機能のみ残して、カセッテ通信部５２の高速送信機能又は送信機能全体やメモリへの電力供給を停止することが好ましい。すなわち、スリープモードでは、フォトダイオードへのバイアス電位を印加せず、走査駆動回路５４３、信号読取回路５４４、データ変換部５４５、メモリ５４６、及びカセッテ通信部５２の高速送信機能又は送信機能全体に電力供給しないことが好ましい。これにより、無駄な電力消費をより抑えることができる。
このように、単位時間当たりの消費電力が撮影可能状態より低い撮影待機モードとスリープモード制御下の状態では、走査線５４２２、信号線５４２３、リセット線５４２６の電位を同電位にし、収集電極５４２１にバイアスを印加しない状態、すなわち、複数の画素に電圧が実質的に印加されない状態であるので、ＰＤやＴＦＴに電圧が実質的に印可されることにより劣化、すなわち、複数の画素の劣化を抑えることができる。また、無駄な電力の消費も抑えられる。【００８１】
そして、例えば、Ｘ線照射スイッチの１ｓｔスイッチがＯＮされたり、操作入力部２を介して、被写体情報や撮影情報等、所定の項目が入力されるなどの入力部１２が撮影のための指示内容を受信したり、また、ＨＩＳ／ＲＩＳ７１からオーダ情報を受信したりすると、コンソール制御部１３は、操作者の指示内容やＨＩＳ／ＲＩＳ７１などからのオーダ情報に基づいて撮影条件を決定し、この撮影条件に基づいた撮影準備指示信号を、Ｘ線源制御部４３及びカセッテ制御部５３にコンソール通信部１４を介して送信し、撮影可能状態に移行させる。【００８２】
Ｘ線源制御部４３は、撮影準備指示信号を受信すると、高圧発生源４１を駆動制御して、Ｘ線管４２に高圧を印加する状態に移行させる。【００８３】
カセッテ制御部５３は、撮影準備指示信号を受信すると、撮影可能状態に移行する。すなわち、撮影可能状態において撮影指示が入力されるまで全ての画素のリセットを所定間隔で繰り返し、暗電流によりコンデンサ５４２４に電気エネルギーが蓄積されることを防止する。撮影可能状態が継続する時間は不明なため、この所定間隔は、撮影時よりも長く、また、トランジスタ５４２５のオン時間が撮影時よりも短く設定される。これにより撮影可能状態では、トランジスタ５４２５に負荷のかかる読み出し動作が少なくなる。そして、撮影可能状態に移行した後、カセッテ制御部５３は、コンソール１に撮影可能状態移行信号を送信する。コンソール制御部１３は、撮影可能状態移行信号を受信すると、カセッテが撮影可能状態に移行したことを示すカセッテ撮影可能状態表示を表示部３がするように表示制御部１１を制御する。【００８４】
撮影指示がコンソール制御部１３に入力されると、コンソール制御部１３は、操作者の指示内容やＨＩＳ／ＲＩＳ７１などからのオーダ情報に基づいて撮影条件を決定し、この撮影条件に関する撮影条件情報を、Ｘ線源制御部４３及びカセッテ制御部５３にコンソール通信部１４を介して送信する。例えば、コンソール通信部１４からカセッテ制御部５３に送信される信号は、無線中継器６を介してカセッテ５のカセッテ通信部５２のアンテナ５２１によって受信され、受信した信号が無線回路５２２によって復調されてカセッテ制御部５３に送られる。【００８５】
コンソール制御部１３は、例えばＸ線照射スイッチの２ｎｄスイッチＯＮなどの操作者からのＸ線照射指示を受けると、撮影指示信号をカセッテ５のカセッテ制御部５３に送信する。そして、コンソール制御部１３にＸ線照射指示が入力された後、コンソール制御部１３は、Ｘ線源４とカセッテ５とを制御し、同期をとりながら撮影をする。
カセッテ制御部５３は、撮影指示信号を受信すると、パネル５４を初期化し、パネル５４が電気エネルギーを蓄積することができる状態に移行する。具体的には、リフレッシュを行い、そして、撮像シーケンスの為の専用の全画素のリセットを所定回数及び電気エネルギー蓄積状態専用の全画素のリセットを行って電気エネルギー蓄積状態に遷移する。曝射要求から撮影準備完了までの期間は所定時間が短いことが実使用上要求されるので、そのために撮像シーケンス専用の全画素のリセットを行う。更に、撮影可能状態の駆動のいかなる状態からも曝射要求が発生した場合は、即時撮像シーケンス駆動に入ることにより曝射要求から撮影準備完了までの期間を短くすることにより、操作性の向上を図る。【００８６】
パネル５４が電気エネルギーを蓄積できる状態に移行すると、カセッテ制御部５３は、カセッテ通信部５２から無線中継器６を介してコンソール通信部１４にカセッテ５の準備終了信号を送信する。コンソール通信部１４は、この準備終了信号を受信すると、コンソール制御部１３にカセッテの準備終了信号を伝達する。
コンソール制御部１３は、このカセッテの準備終了信号を受信した状態で、かつ、Ｘ線照射指示を受けた状態になると、Ｘ線照射信号をＸ線源４に送信する。Ｘ線源制御部４３は、Ｘ線照射信号を受信すると、高圧発生源４１を駆動制御してＸ線管４２に高圧を印加し、Ｘ線源４からＸ線を発生させる。Ｘ線源４から発生したＸ線は、Ｘ線照射口に設けられたＸ線絞り装置によりＸ線照射範囲を調整され、被写体に照射される。
また、コンソール制御部１３は、Ｘ線撮影中である旨のＸ線撮影中表示を表示部３がするように表示制御部１１を制御する。【００８７】
被写体を透過したＸ線は、カセッテ５に入射する。このカセッテ５に入射したＸ線は、シンチレータ５４１によって可視光に変換される。【００８８】
Ｘ線量センサ５４８は、カセッテ５に照射されたＸ線量を検出する。そして、検出したＸ線照射量が所定量に達すると、Ｘ線量センサ５４８が所定Ｘ線量信号をカセッテ制御部５３に送信する。カセッテ制御部５３は所定Ｘ線量信号を受信すると、無線中継器６を介してコンソール通信部１４にＸ線終了信号を送信する。コンソール通信部１４は、このＸ線終了信号を受信すると、コンソール制御部１３にＸ線終了信号を伝達するとともに、Ｘ線源制御部４３にＸ線照射停止信号を送信する。Ｘ線源制御部４３は、このＸ線照射停止信号を受信すると、高圧発生源４１を駆動制御し、高圧発生源４１がＸ線管４２への高圧の印加を停止する。これによりＸ線の発生が停止する。【００８９】
カセッテ制御部５３は、カセッテ通信部５２が無線中継器６を介してＸ線終了信号を送信すると、Ｘ線終了信号に基づいて走査駆動回路５４３と信号読取回路５４４とを駆動制御する。走査駆動回路５４３は、光検出器５４２が取得した電気エネルギーを読み出し、取得した電気エネルギーを信号読取回路５４４に入力する。例えば、Ｘ線終了信号の送信の開始又は終了から所定時間後、光検出器５４２が取得した電気エネルギーを読み出すようにしてもよいし、送信の終了と同時に光検出器５４２が取得した電気エネルギーを読み出すようにしてもよい。信号読取回路５４４は、入力された電気エネルギーをデジタル信号に変換する。そして、データ変換部５４５は、デジタル信号をＸ線画像データに構成する。メモリ５４６は、データ変換部５４５により構成されたＸ線画像データを一時記憶する。【００９０】
続いてカセッテ制御部５３は、Ｘ線画像データを取得した後に、補正用Ｘ線画像データを取得する。補正用Ｘ線画像データは、Ｘ線照射をしない暗Ｘ線画像データであり、高品質のＸ線画像を取得するためにＸ線画像の補正に使用するものである。補正用Ｘ線画像データの取得方法は、Ｘ線を照射しない点以外は、Ｘ線画像データの取得方法と同じである。電気エネルギー蓄積時間は、Ｘ線画像データを取得するときと補正用Ｘ線画像データを取得するときとで等しくなるように設定する。ここで、電気エネルギー蓄積時間とは、リセット動作が完了したとき、即ちリセット時のトランジスタ５４２５をオフにしてから、次に電気エネルギー読み出しを行うためにトランジスタ５４２５をオンにするまでの時間である。よって、各走査線５４２２により電気エネルギー蓄積が始まるタイミングや電気エネルギー蓄積時間が異なる。【００９１】
データ変換部５４５は、構成したＸ線画像データを、取得した補正用Ｘ線画像データに基づいてオフセット補正し、続いて、予め取得してメモリ５４６に記憶されているゲイン補正用データに基づいてゲイン補正する。そして、不感画素や複数の小パネルで構成されたパネルの場合、小パネルのつなぎ目部などに違和感を生じないように画像を連続的に補間して、パネルに由来する補正処理を完了する。本実施形態では、データ変換部５４５は、カセッテ制御部５３と別体であるが、カセッテ制御部５３がデータ変換部５４５を兼ねても良い。【００９２】
そして、カセッテ５は、Ｘ線画像データに基づき補正した画像データ（補正しないでＸ線画像データそのままの場合もある）を無線送信する前に、暗号化処理して送信する。すなわち、カセッテ５に、送信するＸ線画像データを暗号化する暗号化処理手段を設け、また、コンソール１に暗号化されたＸ線画像データを復号化する復号化処理手段を設ける。このような暗号化処理手段は、カセッテ制御部５３又はカセッテ通信部５２が兼ねてもよいし、これらとは別に暗号化処理部を設けても良い。また、このような復号化処理手段は、無線中継器６、コンソール通信部１４、コンソール制御部１３又は画像処理部１８が兼ねてもよいし、これらとは別に復号化処理部を設けてもよい。
なお、本実施形態では、暗号化処理手段はカセッテ通信部５２が兼ねており、また、復号化処理手段はコンソール通信部１４が兼ねている。【００９３】
そして、このような暗号化に適する技術としては、例えば、ＩＥＥＥ８０２．１１で規定されたＷＥＰ（Wired Equivalent Privacy：64bit又は128bitのキー長の共通鍵を用いた暗号化）や、ＩＥＥＥ８０２．１１ｉで規定されたＴＫＩＰ（Temporal Key Integrity Protocol：キーを自動的に変更して暗号化を行うようにした暗号化)、ＷＰＡ（Wi-Fi Protected Access：ＴＫＩＰとＩＥＥＥ８０２．１ｘを併用した暗号化）、ＩＥＥＥ８０２．１１ｉに規定されるＡＥＳ（Advanced Encryption Standard）などが挙げられるがこれらに限らない。【００９４】
また、カセッテ通信部５２やコンソール通信部１４や無線中継器６に他の機器がアクセスすることを制限することが好ましい。このようなアクセス制限機能として、本実施形態では、ＳＳＩＤ （Service Set Identifier：接続する機器固有のＩＤであり、パケットのヘッダに含まれるＳＳＩＤが一致しないパケットを無視する)、ＭＡＣ（Media Access Control、媒体アクセス制御）アドレス（ＬＡＮカード固有のアドレス）フィルタリング機能（登録したＭＡＣアドレスの端末に対してだけ、接続が可能とする）、ANY接続拒否機能（アクセスポイントに設定する機能で、クライアントのＳＳＩＤ設定が「ANY」となっている場合に、アクセスポイントとの接続を拒否する機能。通常は、クライアントのＳＳＩＤ設定が「ANY」となっている場合、あらゆるＳＳＩＤを持つアクセスポイントに対して接続が可能であることに対する）が設けられているが、これ以外に例えば、ビーコン信号にＳＳＩＤを含めない機能、ＩＥＥＥ８０２．１ｘに規定された認証(RADIUS)サーバによるユーザ認証 （認証されていない端末からの通信を全て拒否し、認証されたユーザにのみ通信を許可する）など他の機能を付加しても良い。【００９５】
すなわち、カセッテ５には、サービスセットＩＤ（ＳＳＩＤ）を設定されており、カセッテ通信部５２は、Ｘ線画像データから圧縮、暗号化処理して得たデータに、この設定されているサービスセットＩＤの情報とともに無線通信により送信する。そして、コンソール１のコンソール通信部１４にも、サービスセットＩＤを設定されており、コンソール通信部１４は、設定されたサービスセットＩＤと同一のサービスセットＩＤの情報と共に送信されたデータ信号だけを受信する。すなわち、クライアントのＳＳＩＤ設定が「ANY」となっている場合に、アクセスポイントとの接続を拒否するANY接続拒否機能を含むＳＳＩＤ機能を有している。そして、コンソール１は、受信したデータから復号化、解凍処理してＸ線画像データを得て、得たＸ線画像データを画像保存部１６に保存する。これにより、カセッテ５用コンソール１以外の他の機器にデータ信号が紛れ込む事態の発生が抑えられつつ、カセッテ５などのコンソール１用装置以外の他の機器からのデータ信号がコンソール１に紛れ込む事態の発生が抑えられる。【００９６】
そして、カセッテ５に設定されているサービスセットＩＤと、コンソール１のコンソール通信手段１４に設定されているサービスセットＩＤと、他の機器に設定されているサービスセットＩＤを管理し、カセッテ５に設定されているサービスセットＩＤと、コンソール通信部１４に設定されているサービスセットＩＤが同じになり、カセッテ５用コンソール以外であり、カセッテ５などのコンソール１用装置以外の他の機器に設定されているサービスセットＩＤと、カセッテ５やコンソール１に設定されているサービスセットＩＤとが異なるサービスセットＩＤとなるようにしているので、カセッテ５用コンソール１以外の他の機器にデータ信号が紛れ込む事態の発生がより効果的に抑えられつつ、コンソール１用装置以外の他の機器からのデータ信号がコンソール１に紛れ込む事態の発生がより効果的に抑えられる。【００９７】
また、カセッテ５が、固有番号であるＭＡＣアドレスを設定されており、カセッテ通信部５２が送信するデータとともに設定されたＭＡＣアドレスの情報を送信するものである。また、コンソール通信部１４から通信ケーブルを介して接続された無線中継器６を有し、無線中継器６は、この無線中継器６と無線通信可能な装置のみ、そのＭＡＣアドレスが設定されており、設定されたＭＡＣアドレスの装置に対してのみ無線通信するものであるから、すなわち、登録したＭＡＣアドレスの端末に対してだけ、接続が可能とするＭＡＣアドレスフィルタリング機能を有するから、コンソール１用装置以外の他の機器からのデータ信号がコンソール１に紛れ込む事態の発生がより効果的に抑えられる。【００９８】
また、通信速度を向上させるために、カセッテ５でＸ線画像データ又はＸ線画像データに基づき補正した画像データを圧縮し、コンソール１側で解凍することが好ましい。すなわち、カセッテ５に、送信するＸ線画像データを圧縮する圧縮処理手段を設け、また、コンソール１に圧縮されたＸ線画像データ又はＸ線画像データに基づき補正した画像データを解凍する解凍処理手段を設けることが好ましい。このような圧縮処理手段は、カセッテ制御部５３又はカセッテ通信部５２が兼ねてもよいし、これらとは別に圧縮処理部を設けても良い。また、このような解凍処理手段は、無線中継器６、コンソール通信部１４、コンソール制御部１３又は画像処理部１８が兼ねてもよいし、これらとは別に解凍処理部を設けてもよい。
なお、本実施形態では、圧縮処理手段はカセッテ通信部５２が兼ねており、また、解凍処理手段はコンソール通信部１４が兼ねている。【００９９】
そして、本実施形態では、メモリ５４６に保存されているＸ線画像データ又はＸ線画像データに基づき補正した画像データを圧縮処理した後、暗号化処理してカセッテ通信部５２から送信し、コンソール通信部１４が受信したデータを、復号化処理した後、解凍処理することが好ましい。すなわち、圧縮処理手段により圧縮されたＸ線画像データ又はＸ線画像データに基づき補正した画像データを暗号化手段により暗号化し、カセッテ通信部５２から無線中継器６へ無線送信し、無線中継器６は無線送信されたデータをコンソール通信部１４に送信し、コンソール通信部１４が受信したデータを復号化処理手段により復号化されたＸ線画像データ又はＸ線画像データに基づき補正した画像データを解凍処理手段により解凍することが好ましい。【０１００】
具体的には、本実施形態のカセッテ通信部５２における暗号化処理手段としての暗号化処理部５２ａは、図５に示すように、前記したＸ線画像データ（又はＸ線画像データに基づき補正した画像データ）に圧縮処理を行う圧縮処理手段としての圧縮処理部５２ｂ、圧縮処理部５２ｂで圧縮処理を行ったデータに対する暗号化方式を選択するセレクタ５２ｃ、圧縮処理部５２ｂで圧縮処理を行ったデータにＷＥＰ方式で暗号化を行うＷＥＰ暗号化部５２ｄ、圧縮処理部５２ｂで圧縮処理を行ったデータにＴＫＩＰ方式で暗号化を行うＴＫＩＰ暗号化部５２ｅ、ＷＥＰ暗号化部５２ｄ又はＴＫＩＰ暗号化部５２ｅで暗号化を行ったデータのコンソール１への送信処理を行う送信部５２ｆを備えている。そして、暗号化処理部５２ａに送られてきたＸ線画像データ（又はＸ線画像データに基づき補正した画像データ）に対し、カセッテ制御部５３によって、データに圧縮処理を行うように指示され、まず圧縮処理部５２ｂでＸ線画像データ（又はＸ線画像データに基づき補正した画像データ）に圧縮処理を行う。次に、セレクタ５２ｃで、カセッテ制御部５３によって指示されている方式の暗号化方式を選択し、ＷＥＰ暗号化部５２ｄ又はＴＫＩＰ暗号化部５２ｅで、圧縮処理部５２ｂで圧縮処理を行ったデータの暗号化処理を行う。その後、送信部５２ｆで、ＷＥＰ暗号化部５２ｄ又はＴＫＩＰ暗号化部５２ｅで暗号化を行ったデータのコンソール１への送信処理が行われるようになっている。なお、カセッテ制御部５３によってデータに圧縮処理を行うように指示されていないときには、圧縮処理部５２ｂは圧縮処理は行わず、始めにセレクタ５２ｃで暗号化方式の選択を行う。【０１０１】
また、本実施形態のコンソール通信部１４における復号化処理手段としての復号化処理部１４ａは、図６に示すように、カセッテ５から送信されたデータの受信処理を行う受信部１４ｂ、受信部１４ｂで受信処理を行ったデータに対する復号化方式を選択するセレクタ１４ｃ、受信部１４ｂで受信処理を行ったデータにＷＥＰ方式で復号化を行うＷＥＰ復号化部１４ｄ、受信部１４ｂで受信処理を行ったデータにＴＫＩＰ方式で復号化を行うＴＫＩＰ復号化部１４ｅ、ＷＥＰ復号化部１４ｄ又はＴＫＩＰ復号化部１４ｅで復号化を行ったデータに解凍処理を行う解凍処理手段としての解凍処理部１４ｆを備えている。そして、受信部１４ｂがカセッテ５から復号化処理部１４ａに送られてきたデータを受信すると、まず、セレクタ５２ｃで、当該データに適合した暗号化方式を選択し、選択されたＷＥＰ復号化部１４ｄ又はＴＫＩＰ復化部１４ｅで、受信部１４ｂで受信処理を行ったデータの復号化処理を行う。次に、解凍処理部１４ｆで、ＷＥＰ復号化部１４ｄ又はＴＫＩＰ復号化部１４ｅで復号化を行ったデータに解凍処理を行い、解凍処理部１４ｆで解凍処理を行ったデータを画像保存部１６に送り出すようになっている。なお、カセッテ５から送信されたデータに圧縮処理が行われていないときには、解凍処理部１４ｆは解凍処理は行わず、復号化したデータをそのまま画像保存部１６に送り出す。
また、前記した暗号化方式等の決定は、設定スイッチ５６の切換えにより行われ、セレクタ５２ｃに指示が出されるようになっている。なお、設定スイッチ５６としては、種々の条件に応じてカセッテ制御部５３が出す指示で切り替わるソフト的なスイッチでも良く、操作者の意思で切り換えられるハード的なスイッチでも良い。【０１０２】
そして、コンソール制御部１３は、Ｘ線画像データを受信すると、画像保存部１６に一時保存する。そして、コンソール制御部１３は、画像処理部１５が画像保存部１６に一時保存したＸ線画像データからサムネイル画像データを作成するように制御する。表示制御部１１は、作成されたサムネイル画像データに基づいて、表示部３がサムネイル画像を表示するように制御する。【０１０３】
その後、画像処理部１５は、Ｘ線画像データを操作者の指示内容やＨＩＳ／ＲＩＳ７１などからのオーダ情報に基づいて画像処理する。この画像処理されたＸ線画像データは、表示部３に画像表示されると同時に画像保存部１６に送信され、Ｘ線画像データとして保存される。更に、操作者の指示に基づいて、画像処理部１５はＸ線画像データを再画像処理し、Ｘ線画像データの画像処理結果は表示部３が表示する。また、ネットワーク通信部１８は、Ｘ線画像データをネットワーク上の外部装置であるイメージャ７２、画像処理端末７３、ビューワ７４、ファイルサーバ７５等に転送する。コンソール１からＸ線画像データが転送されると転送された外部装置は対応して機能する。すなわち、イメージャ７２は、このＸ線画像データをフィルムなどの画像記録媒体に記録する。画像処理端末７３は、このＸ線画像データの画像処理やＣＡＤ（Computer Aided Diagnosis：コンピュータ診断支援）のための処理をし、ファイルサーバ７５に保存する。ビューワ７４は、このＸ線画像データに基づいてＸ線画像を表示する。ファイルサーバ７５は、このＸ線画像データを保存する。【０１０４】
以上のように、本実施形態によれば、無線通信により送信されるデータ信号が暗号化処理されたデータから得た信号なので、傍受されて万一送信されたデータ信号が漏洩しても、傍受した者がＸ線画像を得ることが実質的にできない。特に、圧縮処理された後に暗号化されるので、Ｘ線画像そのものが持つ冗長性（例えば、Ｘ線撮影画像の素抜け領域など）が暗号解読で利用されるリスクが、圧縮処理でこの冗長性が緩和された後に暗号化されることで低減し、暗号解読の困難性が増し、傍受されて万一送信されたデータ信号が漏洩しても、傍受した者がＸ線画像を得ることが実質的にできない。【０１０５】
更に、コンソール１は、同一のサービスセットＩＤを設定されたカセッテ５からデータ信号を受信でき、他の機器からデータ信号が紛れ込む事態の発生を抑えられる。またカセッテ５用のコンソール１でない他の機器にデータ信号が紛れ込む事態の発生が抑えられつつ、コンソール１用のカセッテ５でない他の機器からのデータ信号がコンソールに紛れ込む事態の発生が抑えられる。また、コンソール１用のカセッテ５でない他の機器からのデータ信号がコンソールに紛れ込む事態の発生がより効果的に抑えられる。【０１０６】
また、放射線画像取得システム１が、照射された放射線を検出してＸ線画像データを得るパネル５４と、パネル５４により取得したＸ線画像データをアンテナ５２１から所定のチャンネルの１ＧＨｚ超の周波数の電波により送信するカセッテ通信部５２とを備えるカセッテ５と、カセッテ５が送信するチャンネルと、他の機器が１ＧＨｚ超の周波数の電波で送信するチャンネルを管理し、カセッテ５が所定のチャンネルのマイクロ波で送信する際に、他の機器が当該チャンネルの１ＧＨｚ超の周波数の電波で送信しないように制御するコンソール制御部１３とを備えるため、他の機器による通信不能な状態が発生することを防止して、１ＧＨｚ超の周波数の電波を用いて大容量のＸ線画像データを高速かつタイムリーに送信することができる。【０１０７】
また、本実施形態の放射線画像取得システムでは、カセッテ（放射線画像取得装置）５では画像データに被験者の氏名、年齢等の被写体情報を付加せず、コンソール１において、画像データに被写体情報を付加するようになっている。
このようになっていると、カセッテ（放射線画像取得装置）５からコンソール１に送信された画像データを万一解読されても、被写体情報が不明な画像データであり、個人情報漏洩リスクが低くなる。【０１０８】
更に、本実施形態の放射線画像取得システムでは、カセッテ（放射線画像取得装置）５では画像データに撮影部位や撮影条件等の撮影情報を付加せず、コンソール１において、画像データに撮影情報を付加する。
このようになっていると、カセッテ（放射線画像取得装置）５からコンソール１に送信された画像データを万一解読されても、被写体情報と撮影情報の両方が不明な画像データであり、個人情報漏洩リスクが一層低くなる。【０１０９】
なお、本実施形態では、コンソール通信部１４が、カセッテ５のカセッテ制御部５３とカセッテ通信部５２を介して通信するとともに、Ｘ線源４のＸ線源制御部４３とも通信するように構成したが、コンソール１と他の外部機器との通信の構成はここに例示したものに限定されない。【０１１０】
例えば、図７に示すように、操作入力部２に、操作者により撮影準備指示や撮影指示を入力するＸ線照射スイッチ２１と、操作者により指示内容をＸ線源制御部４３に入力するＸ線源指示内容入力部２２と、操作者により指示内容をコンソール５に入力するコンソール指示内容入力部２３とが設けられ、Ｘ線照射スイッチ２１によりＸ線源制御部４３に撮影準備指示及び撮影指示を入力するとともに、Ｘ線源指示内容入力部２２によりＸ線源制御部４３に各種指示を入力するように構成してもよい。この場合には、操作入力部２とＸ線源制御部４３とが有線方式又は無線方式により接続され、相互に信号の送受信が可能となるように構成される。【０１１１】
また、本実施形態では、カセッテ通信部５２は、無線中継器６を介してコンソール１のコンソール通信部１４との間で信号の送受信を行うことを例として説明したが、無線中継器６が、例えば、Ｘ線源等の他の外部機器とも接続され、カセッテ通信部５２がコンソール１以外の外部機器との間でも信号の送受信を行う構成としてもよい。【０１１２】
上述の実施形態では、カセッテ５が、画像データを暗号化して送信し、カセッテの準備終了信号などは暗号化せずに送信する例を説明した。このように、暗号通信と非暗号通信の２方式を有するので、暗号化が必要な通信には暗号化のための時間をかけ、暗号化が不要な通信には暗号化のための時間を省け、暗号化の目的の達成しつつ、暗号化の目的の達成に不要な時間の増加を抑えられる。特に、通信内容に応じて、暗号通信又は非暗号通信となるので、暗号化が必要な通信には暗号化のための時間をかけ、暗号化が不要な通信には暗号化のための時間を省けるので、暗号化の目的の達成しつつ、暗号化の目的の達成に不要な時間の増加を抑えられる。【０１１３】
なお、暗号通信と非暗号通信の２つの通信方式を有する例としては、例えば、以下の例が挙げられるが、これらに限らない。
・静止画データは暗号化して通信するが、動画データは暗号化せずに通信する。
・画像の一部領域（例えば画面中央部）は暗号化して通信するが、画像の他の領域（例えば画像周辺部）は暗号化せずに通信する。
・操作者の操作に応じて、暗号化して通信したり、暗号化せずに通信したりする。
・設定スイッチの設定に応じて、暗号化して通信したり、暗号化せずに通信したりする。
・コンソールからの指示信号に応じて、暗号化して通信したり暗号化せずに通信したりする。【０１１４】
また、これらの選択は全てのケースで選択可能でも、一部のケースだけで選択可能でもよい。一部のケースだけ選択可能な例としては、例えば、以下の例が挙がれるが、これらに限らない。
・カセッテの準備終了信号は暗号化せずに送信することに固定だが、画像データは、暗号通信と非暗号通信を選択可能である。
・静止画データは暗号通信に固定だが、動画データは、暗号通信と非暗号通信を選択可能である。
・所定条件を満たす画像データ（例えば、高画質モードで撮影された画像データ）は、暗号通信に固定だが、所定条件を満たさない画像データ（例えば、低画質モードで撮影された画像データ）は、暗号通信と非暗号通信を選択可能である。
・コンソールからの指示信号を受信した場合は、指示信号に応じて暗号通信と非暗号通信を選択可能だが、受信しなかった場合、暗号通信に固定する。【０１１５】
また、本実施形態では、２つの暗号化方式で暗号化する例を説明したが、少なくとも一部のケースで、１又は３つ以上の暗号化方式から使用する暗号化方式を選択できるようにしてもよい。この場合、例えばユーザの要求や使用環境等に応じて暗号化強度／時間／特性などを適切な暗号化方式を選択でき、暗号化の目的の達成しつつ、暗号化の目的の達成に不要な時間の増加を抑えられる。具体例を示すと、病院関係者と患者しか入室しないＸ線撮影室内では、ＷＥＰのような演算処理が比較的軽量な暗号化方式で暗号化し、患者の関係者の入室も可能な病室では、前記ＷＥＰのような暗号化方式より演算処理が重いが暗号解読が困難なＴＫＩＰのような暗号化方式で暗号化するように選択できることである。この軽量な暗号化方式と重い暗号化方式の選択としては、以下の例が挙げられるが、これらに限らない。【０１１６】
第一の例は、操作入力部２からの操作入力に応じてコンソール１のコンソール制御部１３が制御してコンソール通信部１４から送信され、カセッテ通信部５２が受信した暗号化方式選択信号によって、カセッテ制御部５３が選択する。そして、この際、暗号化方式選択信号をカセッテ通信部５２が受信しなかった場合、従前の暗号化方式を選択するが、最初から受信しなかった場合、重い暗号化方式を選択する。
第二の例は、カセッテ５の内部にスイッチを設け、このスイッチの切り替えに応じてカセッテ制御部５３が暗号化方式を選択する。この場合、カセッテ５を納入する際に、その納入先の要望に応じた暗号化方式を選択するようにスイッチを切り替える。
第三の例は、カセッテ５の表面又は外部にスイッチを設け、このスイッチの切り替えに応じてカセッテ制御部５３が暗号化方式を選択する。この場合、操作者がカセッテ５で撮影する環境などに応じて、所望の暗号化方式を選択するようにスイッチを切り替える。【０１１７】
また、静止画データは暗号化して通信するが、動画データは暗号化せずに通信する例としては、例えば、以下の例が挙げられる。第一の例は、放射線画像データが静止画か動画か判断する判断手段を有し、前記判断手段の判断結果に応じて、前記暗号化処理手段が暗号化処理したり、暗号化処理しなかったりする。例えば、カセッテ制御部５３が放射線画像データが静止画か動画か判断し、この判断結果に応じてセレクタ５２Ｃが圧縮処理された放射線画像データをＴＫＩＰ暗号化部５２ｅ又はＷＥＰ暗号化部５２ｄへ送るか、これらを通さずに送信部５２ｆに送る。第二の例は、放射線画像データが静止画か動画かに応じて、前記暗号化処理手段が暗号化処理したり、暗号化処理しなかったりする。例えば、セレクタ５２Ｃが放射線画像データが静止画か動画かに応じて、ＴＫＩＰ暗号化部５２ｅ又はＷＥＰ暗号化部５２ｄに送るか、これらを通さずに送信部５２ｆに送る。
このように、静止画データは暗号化して通信するが、動画データは暗号化せずに通信することにより、動画像と比較してデータ容量が低いが診断に有用な静止画データは暗号化して通信することで傍受のリスクを低減しつつ、比較的データ容量が大きいが静止画データを取得するための手段であり、傍受された場合のリスクが比較的小さい事が多い動画データについては暗号化せずに通信するので、傍受のリスクは有るが、暗号化処理が間に合わずに送信された動画が中断された動画になることを抑えられ、タイムリーに静止画を取得するための指示ができる。
また、画像の一部領域（例えば画面中央部）は暗号化して通信するが、画像の他の領域（例えば画像周辺部）は暗号化せずに通信する例としては、例えば、以下の例が挙げられる。第１の例は、放射線画像データから特定領域の画像データと、この特定領域以外の領域の画像データに分ける画像分解手段を有し、前記画像分解手段によって分解された特定領域の画像データに基づくデータを前記暗号化処理手段が暗号化処理する。例えば、図示しない画像分解部が放射線画像データから特定領域の画像データと、この特定領域以外の領域の画像データに分ける。そして、圧縮処理後、セレクタ５２Ｃが、圧縮処理された特定領域の画像データを、ＴＫＩＰ暗号化部５２ｅ又はＷＥＰ暗号化部５２ｄへ送り、圧縮処理された特定領域以外の領域の画像データは、これらを通さずに送信部５２ｆに送る。第二の例は、前記暗号化処理手段が特定領域の画像データに対してだけ暗号化処理する。例えば、セレクタ５２Ｃが圧縮処理された画像データの特定領域か否か判断し、特定領域の場合、ＴＫＩＰ暗号化部５２ｅ又はＷＥＰ暗号化部５２ｄに送り、特定領域以外の場合、これらを通さずに送信部５２ｆに送る。
このように、画像の一部領域は暗号化して通信するが、画像の他の領域は暗号化せずに通信する事により、一部領域を適切に設定することで、診断に有用な領域は暗号化され傍受のリスクを低減しつつ、他の領域は暗号化しないことで全領域を暗号化するよりも高速に通信でき、速やかに画像を保存したり、表示したりできる。
なお、特定領域の例としては、画面中央部、素抜け部以外（高放射線量値領域以外）などが挙げられる。
また、操作者の操作に応じて、暗号化して通信したり、暗号化せずに通信したりする例としては、例えば、以下の例が挙げられる。第一の例は、操作者の操作を判断する判断手段を有し、前記判断手段の判断結果に応じて、前記暗号化処理手段が暗号化処理したり、暗号化処理しなかったりする。例えば、カセッテ制御部５３が操作者の操作（例えば、操作スイッチの状態）を判断し、この判断結果に応じてセレクタ５２Ｃが圧縮処理された放射線画像データをＴＫＩＰ暗号化部５２ｅ又はＷＥＰ暗号化部５２ｄへ送るか、これらを通さずに送信部５２ｆに送る。第二の例は、操作者が操作する操作部の状態に応じて、前記暗号化処理手段が暗号化処理したり、暗号化処理しなかったりする。例えば、カセッテに操作者が操作可能な図示しないスイッチが設けられ、このスイッチに連動してセレクタ５２Ｃが圧縮処理された放射線画像データをＴＫＩＰ暗号化部５２ｅ又はＷＥＰ暗号化部５２ｄに送るか、これらを通さずに送信部５２ｆに送る。
このように、操作者の操作に応じて、暗号化して通信したり、暗号化せずに通信したりする事により、深刻な疾患の可能性が有る等傍受されるとリスクの大きい撮影の場合は、暗号化して通信し、傍受のリスクを低減しつつ、無線通信セキュリティーが確立した部屋での撮影等傍受されてもリスクが小さい撮影の場合は、暗号化せずに、高速に通信して、速やかに画像を保存したり、表示したりできる。
また、設定スイッチの設定に応じて、暗号化して通信したり、暗号化せずに通信したりする例としては、例えば、以下の例が挙げられる。第一の例は、カセッテ内部に設けられた設定スイッチに応じて、前記暗号化処理手段が暗号化処理したり、暗号化処理しなかったりする。例えば、出荷時にメーカ又は販売会社が操作するようにカセッテ内部に図示しないスイッチが設けられ、このスイッチに連動してセレクタ５２Ｃが圧縮処理された放射線画像データをＴＫＩＰ暗号化部５２ｅ又はＷＥＰ暗号化部５２ｄに送るか、これらを通さずに送信部５２ｆに送る。第二の例は、操作者が操作する操作部の状態に応じて、前記暗号化処理手段が暗号化処理したり、暗号化処理しなかったりする。例えば、カセッテに操作者が操作可能な図示しないスイッチが設けられ、このスイッチに連動してセレクタ５２Ｃが圧縮処理された放射線画像データをＴＫＩＰ暗号化部５２ｅ又はＷＥＰ暗号化部５２ｄに送るか、これらを通さずに送信部５２ｆに送る。
このように、設定スイッチの設定に応じて、暗号化して通信したり、暗号化せずに通信したりする事により、例えば、無線通信セキュリティーが甘い施設等傍受されるとリスクの大きい撮影の施設の場合は、設定スイッチを暗号化して通信する設定にすることで、傍受のリスクを低減し、無線通信セキュリティーが確立した部屋での撮影等傍受されてもリスクが小さい施設の場合は、暗号化せずに通信する設定にすることで、高速に通信して、速やかに画像を保存したり、表示したりできる。そして、設定スイッチがカセッテ内部に設けられ、操作者が操作できないようにしている事により、意図せずに設定スイッチが変更され、傍受されるとリスクの大きい撮影の施設の場合に暗号化せずに通信したり、傍受されてもリスクが小さい施設の場合に暗号化して通信が遅くなるリスクも低減できる。
また、コンソールからの指示信号に応じて、暗号化して通信したり暗号化せずに通信したりする例としては、例えば、以下の例が挙げられる。第一の例は、コンソール１から受信した暗号化して送信するか否かを示す暗号化要否情報に応じて、前記暗号化処理手段が暗号化処理したり、暗号化処理しなかったりする。例えば、コンソール１からの暗号化要否情報をカセッテ制御部５３が判断し、この判断結果に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。第二の例は、コンソール１から受信した情報（例えば撮影条件の情報やコンソール１の情報等）に応じて、カセッテ制御部５３が暗号化処理の要否を判断し、その結果に応じて、前記暗号化処理手段が暗号化処理したり、暗号化処理しなかったりする。例えば、コンソール１からの情報から、カセッテ制御部５３が暗号化処理するかしないかを判断し、この判断結果に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。
このように、コンソールからの指示信号に応じて、暗号化して通信したり暗号化せずに通信したりする事により、傍受されるとリスクの大きい撮影の場合は、暗号化して通信し、傍受のリスクを低減しつつ、傍受されてもリスクが小さい撮影の場合は、暗号化せずに、高速に通信して、速やかに画像を保存したり、表示したりできつつ、カセッテを操作したり配置したりする際に誤設定するリスクの発生も抑えられる。
また、カセッテの準備終了信号は暗号化せずに送信することに固定だが、画像データは、暗号通信と非暗号通信を選択可能である例としては、例えば、以下の例が挙げられる。カセッテ５から送信する情報が画像データの場合、コンソール１から受信した情報に応じて、前記暗号化処理手段が暗号化処理して送信したり、暗号化処理せずに送信したりし、画像データでない場合、暗号化処理せずに送信する。例えば、カセッテ５から送信する情報が画像データの場合、圧縮処理部５２ｂで圧縮処理した後、コンソール１から受信した情報に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。画像データでない場合、圧縮処理部５２ｂで圧縮処理せずに、セレクタ５２ＣがデータをＴＫＩＰ暗号化部５２ｅ・ＷＥＰ暗号化部５２ｄを通さずに送信部５２ｆに送る。
このように、カセッテの準備終了信号は暗号化せずに送信することに固定だが、画像データは、暗号通信と非暗号通信を選択可能である事により、傍受されても問題の無いカセッテの準備終了信号は暗号化せずに高速に通信でき、画像データは、暗号通信で傍受されるリスクを低減することと非暗号通信で高速に通信することを選択可能である。
また、静止画データは暗号通信に固定だが、動画データは、暗号通信と非暗号通信を選択可能である例としては、例えば、以下の例が挙げられる。第一の例は、カセッテ５から送信する情報が動画データの場合、コンソール１から受信した情報に応じて、前記暗号化処理手段が暗号化処理して送信したり、暗号化処理せずに送信したりし、静止画データの場合、暗号化処理して送信する。例えば、カセッテ５から送信する情報が動画像データの場合、圧縮処理部５２ｂで圧縮処理した後、コンソール１から受信した情報に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。静止画データの場合、圧縮処理部５２ｂで圧縮処理した後、セレクタ５２Ｃが圧縮処理された放射線画像データをＴＫＩＰ暗号化部５２ｅ又はＷＥＰ暗号化部５２ｄに送る。第二の例は、カセッテ５から送信する情報が動画データの場合、カセッテ５内部の設定スイッチや操作者の操作に応じて、前記暗号化処理手段が暗号化処理して送信したり、暗号化処理せずに送信したりし、静止画データの場合、暗号化処理して送信する。例えば、カセッテ５から送信する情報が動画像データの場合、圧縮処理部５２ｂで圧縮処理した後、カセッテ５内部の設定スイッチや操作者の操作に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。静止画データの場合、圧縮処理部５２ｂで圧縮処理した後、セレクタ５２Ｃが圧縮処理された放射線画像データをＴＫＩＰ暗号化部５２ｅ又はＷＥＰ暗号化部５２ｄに送る。
このように、静止画データは暗号通信に固定だが、動画データは、暗号通信と非暗号通信を選択可能である事により、動画像と比較してデータ容量が低いが診断に有用な静止画データは暗号化して通信することで傍受のリスクを低減しつつ、比較的データ容量が大きい動画データについては、傍受された場合のリスクが低い場合等は暗号化せずに通信することで、暗号化処理が間に合わずに送信された動画が中断された動画になることを抑えられ、また、傍受された場合のリスクが高い場合等は暗号化して通信することで傍受のリスクを低減できる。
また、所定条件を満たす画像データ（例えば、高画質モードで撮影された画像データ）は、暗号通信に固定だが、所定条件を満たさない画像データ（例えば、低画質モードで撮影された画像データ）は、暗号通信と非暗号通信を選択可能である例としては、例えば、以下の例が挙げられる。第一の例は、カセッテ制御手段が画像データが所定条件を満たすか否か判断し、画像データが所定条件を満たす場合、前記暗号化処理手段が暗号化処理して送信し、画像データが所定条件を満たさない場合、コンソール１から受信した情報に応じて、前記暗号化処理手段が暗号化処理して送信したり、暗号化処理せずに送信したりしする。例えば、カセッテ制御部５３が放射線画像データが高画質モードで撮影された画像データか否かを判断し、放射線画像データが高画質モードで撮影された画像データであるとカセッテ制御部５３が判断した場合、圧縮処理部５２ｂで圧縮処理した後、セレクタ５２Ｃが、圧縮処理された放射線画像データをＴＫＩＰ暗号化部５２ｅ又はＷＥＰ暗号化部５２ｄに送り、暗号化処理した後、通信部５２ｆに送る。一方、放射線画像データが低画質モードで撮影された画像データであるとカセッテ制御部５３が判断した場合、コンソール１から受信した情報に応じて、カセッテ制御部５３が暗号化処理するか否か判断し、圧縮処理部５２ｂで圧縮処理した後、セレクタ５２Ｃがカセッテ制御部５３の判断結果に応じて、圧縮処理された放射線画像データをＴＫＩＰ暗号化部５２ｅ又はＷＥＰ暗号化部５２ｄを通さずに通信部５２ｆに送ったり、ＴＫＩＰ暗号化部５２ｅ又はＷＥＰ暗号化部５２ｄに送り、暗号化処理した後、通信部５２ｆに送る。第二の例は、カセッテ制御手段が画像データが所定条件を満たすか否か判断し、画像データが所定条件を満たす場合、前記暗号化処理手段が暗号化処理して送信し、画像データが所定条件を満たさない場合、カセッテ５内部の設定スイッチや操作者の操作に応じて、前記暗号化処理手段が暗号化処理して送信したり、暗号化処理せずに送信したりする。例えば、カセッテ制御部５３が放射線画像データが高画質モードで撮影された画像データか否かを判断し、放射線画像データが高画質モードで撮影された画像データであるとカセッテ制御部５３が判断した場合、圧縮処理部５２ｂで圧縮処理した後、セレクタ５２Ｃが、圧縮処理された放射線画像データをＴＫＩＰ暗号化部５２ｅ又はＷＥＰ暗号化部５２ｄに送り、暗号化処理した後、通信部５２ｆに送る。一方、放射線画像データが低画質モードで撮影された画像データであるとカセッテ制御部５３が判断した場合、カセッテ５内部の設定スイッチや操作者の操作に応じて、カセッテ制御部５３が暗号化処理するか否か判断し、圧縮処理部５２ｂで圧縮処理した後、セレクタ５２Ｃがカセッテ制御部５３の判断結果に応じて、圧縮処理された放射線画像データをＴＫＩＰ暗号化部５２ｅ又はＷＥＰ暗号化部５２ｄを通さずに通信部５２ｆに送ったり、ＴＫＩＰ暗号化部５２ｅ又はＷＥＰ暗号化部５２ｄに送り、暗号化処理した後、通信部５２ｆに送る。
このように、所定条件を満たす画像データは、暗号通信に固定だが、所定条件を満たさない画像データは、暗号通信と非暗号通信を選択可能である事により、傍受された場合のリスクが大きい可能性が高い画像データは暗号通信に固定され、傍受された場合のリスクを低減しつつ、傍受された場合のリスクが大きい可能性が低い画像データは傍受された場合のリスクを低減できる暗号通信と、高速に通信できる非暗号通信を選択可能である事二より、その都度の状況に応じた柔軟な対応ができつつ、全体としてのリスク低減もできる。
また、コンソールからの指示信号を受信した場合は、指示信号に応じて暗号通信と非暗号通信を選択可能だが、受信しなかった場合、暗号通信に固定する例としては、例えば、以下の例が挙げられる。第一の例は、コンソール１から受信した暗号化して送信するか否かを示す暗号化要否情報に応じて、前記暗号化処理手段が暗号化処理したり、暗号化処理しなかったりする。一方、コンソール１から暗号化要否情報を受信しなかった場合、前記暗号化処理手段が暗号化処理する。例えば、コンソール１からの暗号化要否情報を受信したか否かと、受信したと判断した場合の暗号化要否情報をカセッテ制御部５３が判断し、この判断結果に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。第二の例は、コンソール１から所定の情報を受信したか否かと、受信したと判断した場合のコンソール１から受信した所定の情報（例えば撮影条件の情報やコンソール１の情報等）に応じて、カセッテ制御部５３が暗号化処理の要否を判断し、その結果に応じて、前記暗号化処理手段が暗号化処理したり、暗号化処理しなかったりする。例えば、コンソール１から所定の情報を受信したか否かと、受信したと判断した場合のコンソール１から受信した所定の情報から、カセッテ制御部５３が暗号化処理するかしないかを判断し、この判断結果に応じて、セレクタ５２Ｃが圧縮処理された放射線画像データをＴＫＩＰ暗号化部５２ｅ又はＷＥＰ暗号化部５２ｄに送るか、これらを通さずに送信部５２ｆに送る。
このように、コンソールからの指示信号を受信した場合は、指示信号に応じて暗号通信と非暗号通信を選択可能だが、受信しなかった場合、暗号通信に固定する事により、傍受されるとリスクの大きい撮影の場合と、コンソールからの指示信号を受信しなかったために、傍受されるとリスクの大きい撮影か否か不明な場合は、暗号化して通信し、傍受のリスクを低減しつつ、傍受されてもリスクが小さい撮影の場合は、暗号化せずに、高速に通信して、速やかに画像を保存したり、表示したりできつつ、カセッテを操作したり配置したりする際に誤設定するリスクの発生も抑えられる。【０１１８】
また、本実施形態では、カセッテ５とコンソール１とが１対１で対応させている例を示したが、これに限定されず、カセッテとコンソールとが１対Ｍ、Ｎ対１、Ｎ対Ｍ（Ｎ，Ｍは２以上の自然数）で対応させて用いることが可能である。このときには、カセッテとコンソール間のネットワークを設け、カセッテとコンソールとの対応関係を対応関係情報保持部に保存し、対応関係情報保持部をネットワーク上又はコンソール内に設け、コンソールがカセッテを制御することが好ましい。【０１１９】
また、本実施形態では、コンソール１及びカセッテ５のいずれにおいても、前述した実施例の機能を実現するソフトウェアのプログラムを記録した記憶媒体をシステムあるいは装置に供給し、そのシステムあるいは装置のコンピュータ（又はＣＰＵやＭＰＵ）が記憶媒体に格納されたプログラムを読み出し実行することによっても、達成されることは言うまでもない。また、プログラム等を記憶させる記憶媒体としては、不揮発性メモリ、電源バックアップされた揮発性メモリ、ＲＯＭメモリ、光ディスク、ハードディスクなどの磁気ディスク、光磁気ディスク等の記憶媒体に記憶させるようにしてもよい。
また、コンピュータが読み出したプログラムを実行することにより、前述した実施形態の機能が実現されるだけでなく、そのプログラムの指示に基づき、コンピュータ上で稼動しているＯＳ（基本システムあるいはオペレーティングシステム）などが実際の処理の一部又は全部を行い、その処理によって前述した実施形態の機能が実現される場合も含まれることは言うまでもない。
更に、記憶媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
更に、このようなプログラムは、ネットワークや回線などを介して外部から提供されたものであってもよい。そして、外部から供給されるプログラムを使用する場合も、不揮発性メモリ、電源バックアップされた揮発性メモリ、光ディスク、ハードディスクなどの磁気ディスク、光磁気ディスク等の記憶媒体に記憶されるようにしてもよい。【０１２０】
［上述の実施形態に共通する事］
以上のように、放射線撮影により放射線画像データを得る放射線画像取得手段と、前記放射線画像取得手段により取得した前記放射線画像データに基づく画像データから暗号化処理されたデータを得る暗号化処理手段と、前記暗号化処理手段により暗号化処理されたデータに基づくデータからデータ信号を得て無線通信により送信する通信手段とを備える放射線画像取得装置と、前記放射線画像取得装置から送信されたデータ信号を受信して暗号化処理されたデータを得るコンソール通信手段と、前記コンソール通信手段により得た前記暗号化処理されたデータに基づくデータを復号化処理する復号化処理手段と、前記復号化処理手段により得た放射線画像データに基づく画像データを保存する画像保存手段とを有するコンソールと、を備える放射線画像取得システムなので、万一送信されたデータ信号が傍受されても、傍受した者が放射線画像を得ることが実質的にできないようにすることができる。【０１２１】
更に、前記放射線画像取得装置は、前記放射線画像取得手段により取得した前記放射線画像データに基づく画像データから圧縮処理されたデータを得る圧縮処理手段を有し、前記暗号化処理手段は、前記圧縮処理手段により圧縮処理されたデータに基づくデータから暗号化処理されたデータを得るものであり、前記コンソールは、前記復号化処理手段により得たデータに基づくデータから解凍処理されたデータを得る解凍処理手段を有し、前記画像記憶手段は、前記解凍処理手段により得た放射線画像データに基づく画像データを記憶するものであるので、圧縮処理されたデータに対して暗号化するので、放射線画像データそのものを暗号化するよりも暗号化に要する時間が短くなり、無線通信に要する時間も短くなることと解凍に要する時間が短くなることと相まって、コンソールで速やかに画像データを保存できる。また、速やかに表示部に表示できる。また、放射線画像そのものが持つ冗長性（例えば、放射線撮影画像の素抜け領域など）が暗号解読で利用されるリスクが、圧縮処理でこの冗長性が抑えられた後に暗号化されることで低減し、暗号解読の困難性が増し、傍受されて万一送信されたデータ信号が漏洩しても、傍受した者が放射線画像を得ることが実質的にできないようにすることができる。【０１２２】
更に、サービスセットＩＤが設定されており、照射された放射線を検出して放射線画像データを得る放射線画像取得手段と、前記放射線画像取得手段からデータを得て、設定されている前記サービスセットＩＤの情報とともに無線通信により送信する通信手段とを備える放射線画像取得装置と、サービスセットＩＤが設定されており、同一のサービスセットＩＤの情報と共に送信されたデータを受信するコンソール通信手段と、前記コンソール通信手段により得た放射線画像データに基づく画像データを記憶する画像記憶手段とを有するコンソールと、を備えるので、コンソールは、同一のサービスセットＩＤを設定された放射線画像取得装置からデータ信号を受信でき、他の機器からデータ信号が紛れ込む事態の発生を抑えられるようにすることができる。【０１２３】
更に、前記放射線画像取得装置に設定されているサービスセットＩＤと、前記コンソール通信手段に設定されているサービスセットＩＤと、他の機器に設定されているサービスセットＩＤを管理し、前記放射線画像取得装置に設定されているサービスセットＩＤと、前記コンソール通信手段に設定されているサービスセットＩＤが同じになり、前記放射線画像取得装置用のコンソールでもなく、前記コンソール用の放射線画像取得装置でもない他の機器に設定されているサービスセットＩＤと、前記放射線画像取得装置に設定されているサービスセットＩＤとが異なるサービスセットＩＤとなるようにするものであるので、放射線画像取得装置用のコンソールでない他の機器にデータ信号が紛れ込む事態の発生が抑えられつつ、コンソール用の放射線画像取得装置でない他の機器からのデータ信号がコンソールに紛れ込む事態の発生を抑えることができる。【０１２４】
更に、前記コンソール通信手段からケーブルを介して接続された無線中継器を有し、前記放射線画像取得装置は、固有番号が設定されており、前記通信手段が送信するデータとともに設定された前記固有番号の情報を送信するものであり、前記無線中継器は、無線通信可能な装置の固有番号が設定されており、設定された固有番号の装置に対してのみ無線通信するものであるので、コンソール用の放射線画像取得装置でない他の機器からのデータ信号がコンソールに紛れ込む事態の発生をより効果的に抑えることができる。【０１２５】
更に、前記放射線画像取得装置が、前記放射線画像取得手段と前記通信手段とを制御する制御手段と、前記放射線画像取得手段と前記通信手段と前記制御手段とを駆動する電力を供給する電源と、を有するカセッテであるので、画像データの送信にも、電力の供給にもケーブルが不要で、撮影をケーブルレスの状態で行うことができ、ケーブルが被写体に絡まらないように注意しながら撮影する必要が無く、操作性、撮影効率等を向上させることができる。【０１２６】
更に、前記放射線画像取得装置が、前記放射線画像取得手段により得た放射線画像データに基づく画像データを一時的に保存するためのメモリを有するので、放射線画像データを一時的に保存できるので、暗号化などの処理を容易に施すことができ、また、通信状態に応じた通信速度で送信することができる。【０１２７】
更に、前記コンソールにおいて、画像データに被写体情報を付加するので、放射線画像取得装置からコンソールに送信された画像データを万一解読されても、被写体情報が不明な画像データであり、個人情報漏洩リスクが低くなる。【０１２８】
更に、前記コンソールにおいて、画像データに撮影情報を付加するので、放射線画像取得装置からコンソールに送信された画像データを万一解読されても、被写体情報と撮影情報の両方が不明な画像データであり、個人情報漏洩リスクが一層低くなる。【０１２９】
更に、データを暗号化処理して送信する暗号通信と、データを暗号化処理せずに送信する非暗号通信を含む複数の通信方式を有するので、暗号化が必要な通信には暗号化のための時間をかけ、暗号化が不要な通信には暗号化のための時間を省け、暗号化の目的の達成しつつ、余計な時間の増加を抑えられる。【０１３０】
更に、通信内容に応じて複数の前記通信方式から通信方式を選択するので、通信内容に応じて、暗号化が必要な通信には暗号化のための時間をかけ、暗号化が不要な通信には暗号化のための時間を省け、暗号化の目的の達成しつつ、余計な時間の増加を抑えられる。【０１３１】
更に、所定の条件に応じて複数の前記通信方式から通信方式を選択するので、例えば鉛板で完全に覆われ、通信傍受セキュリティの確保されたＸ線撮影室での撮影では、非暗号通信で暗号化のための時間を省き、一般病棟等の通信傍受セキュリティの確保されていない場所での撮影では、時間をかけて暗号化処理をして暗号通信を行うというように、同じ放射線画像取得装置でもケースバイケースで暗号通信が望まれる場合と非暗号通信が望まれる場合が有るときに、そのどちらにも対応できる。【０１３２】
更に、前記コンソールから前記放射線画像取得装置に前記非暗号通信で制御信号又は制御情報を送信するので、暗号化のための時間が不要でタイムリーに制御信号を送信できる。【０１３３】
更に、複数の暗号化方式の中から使用する暗号化方式を選択可能であるので、例えばユーザの要求や使用環境等に応じて暗号化強度／時間／特性などの適切な暗号化方式を選択でき、暗号化の目的の達成しつつ、暗号化の目的の達成に不要な時間の増加を抑えられる。
また、放射線撮影により放射線画像データを得る放射線画像取得手段と、前記放射線画像取得手段により取得した前記放射線画像データに基づく画像データから暗号化処理されたデータを得る暗号化処理手段と、前記暗号化処理手段により暗号化処理されたデータに基づくデータからデータ信号を得て無線通信により送信する通信手段とを備えるカセッテなので、万一送信されたデータ信号が傍受されても、傍受した者が放射線画像を得ることが実質的にできないようにすることができつつ、取り回しに制約の少ない通信線レスのカセッテ撮影も可能にすることができる。
更に、前記放射線画像取得手段により取得した前記放射線画像データに基づく画像データから圧縮処理されたデータを得る圧縮処理手段を有し、前記暗号化処理手段は、前記圧縮処理手段により圧縮処理されたデータに基づくデータから暗号化処理されたデータを得るものであるので、放射線画像データそのものを暗号化するよりも圧縮処理されたデータに対して暗号化するので暗号化に要する時間が短くなり、無線通信に要する時間も短くなることと相まって、コンソールで速やかに画像データを保存できる。また、速やかに表示部に表示できる。また、放射線画像そのものが持つ冗長性（例えば、放射線撮影画像の素抜け領域など）が暗号解読で利用されるリスクが、圧縮処理でこの冗長性が抑えられた後に暗号化されることで低減し、暗号解読の困難性が増し、傍受されて万一送信されたデータ信号が漏洩しても、傍受した者が放射線画像を得ることが実質的にできないようにすることができる。
また、データ信号を受信して暗号化処理されたデータを得るコンソール通信手段と、前記コンソール通信手段により得た前記暗号化処理されたデータに基づくデータを復号化処理する復号化処理手段と、前記復号化処理手段により得た放射線画像データに基づく画像データを保存する画像保存手段とを有するコンソールなので、万一送信されたデータ信号が傍受されても、傍受した者が放射線画像を得ることが実質的にできないように暗号化処理されたデータから放射線画像データに基づくデータを保存できる。
更に、前記復号化処理手段により得たデータに基づくデータから解凍処理されたデータを得る解凍処理手段を有し、前記画像保存手段は、前記解凍処理手段により得た放射線画像データに基づく画像データを保存するものであるので、放射線画像そのものが持つ冗長性（例えば、放射線撮影画像の素抜け領域など）が暗号解読で利用されるリスクが、圧縮処理でこの冗長性が抑えられた後に暗号化されることで低減し、更に、放射線画像データそのものを暗号化するよりも暗号化に要する時間が短くなり、無線通信に要する時間も短くなる圧縮処理されたデータに基づくデータを暗号化処理されたデータから放射線画像データに基づくデータを保存できるので、解凍に要する時間が短くなり、コンソールで速やかに画像データを保存できる。また、速やかに表示部に表示できる。また、暗号解読の困難性が増し、傍受されて万一送信されたデータ信号が漏洩しても、傍受した者が放射線画像を得ることが実質的にできないようにすることができる。
また、放射線画像データに基づく画像データから暗号化処理されたデータを得る暗号化処理手段と、前記暗号化処理手段により暗号化処理されたデータに基づくデータからデータ信号を得て無線通信により送信する通信手段とを備えるカセッテと、前記放射線画像送信装置から送信されたデータ信号を受信して暗号化処理されたデータを得るコンソール通信手段と、前記コンソール通信手段により得た前記暗号化処理されたデータに基づくデータを復号化処理する復号化処理手段と、前記復号化処理手段により得た放射線画像データに基づく画像データを保存する画像保存手段とを有する放射線画像受信装置と、を備える放射線画像通信システムなので、万一送信されたデータ信号が傍受されても、傍受した者が放射線画像を得ることが実質的にできないようにすることができる。
更に、前記カセッテは、前記放射線画像データに基づく画像データから圧縮処理されたデータを得る圧縮処理手段を有し、前記暗号化処理手段は、前記圧縮処理手段により圧縮処理されたデータに基づくデータから暗号化処理されたデータを得るものであり、前記放射線画像受信装置は、前記復号化処理手段により得たデータに基づくデータから解凍処理されたデータを得る解凍処理手段を有し、前記画像保存手段は、前記解凍処理手段により得た放射線画像データに基づく画像データを保存するので、放射線画像データそのものを暗号化するよりも圧縮処理されたデータに対して暗号化するので暗号化に要する時間が短くなり、無線通信に要する時間も短くなることと解凍に要する時間が短くなることと相まって、画像受信装置で速やかに画像データを保存できる。また、速やかに表示部に表示できる。また、放射線画像そのものが持つ冗長性（例えば、放射線撮影画像の素抜け領域など）が暗号解読で利用されるリスクが、圧縮処理でこの冗長性が抑えられた後に暗号化されることで低減し、暗号解読の困難性が増し、傍受されて万一送信されたデータ信号が漏洩しても、傍受した者が放射線画像を得ることが実質的にできないようにすることができる。
また、放射線撮影により放射線画像データを得る放射線画像取得手段と、データ信号を無線通信により送信する通信手段とを有するカセッテに搭載されるコンピュータに、前記放射線画像取得手段により取得した前記放射線画像データに基づく画像データから暗号化処理されたデータを得る暗号化処理機能と、前記暗号化処理機能により暗号化処理されたデータに基づくデータから得られたデータ信号を前記通信手段に無線通信により送信させる通信機能とを実現させるプログラムなので、このプログラムによりカセッテから送信されたデータ信号が万一傍受されても、傍受した者が放射線画像を得ることが実質的にできないようにすることができる。
また、前記放射線画像取得手段により取得した前記放射線画像データに基づく画像データから圧縮処理されたデータを得る圧縮処理機能を有し、前記暗号化処理機能は、前記圧縮処理機能により圧縮処理されたデータに基づくデータから暗号化処理されたデータを得るものであるので、このプログラムにより、このカセッテでは圧縮処理されたデータに対して暗号化するので、放射線画像データそのものを暗号化するよりも暗号化に要する時間が短くなり、無線通信に要する時間も短くなることと解凍に要する時間が短くなることと相まって、コンソールで速やかに画像データを保存できる。また、速やかに表示部に表示できる。また、放射線画像そのものが持つ冗長性（例えば、放射線撮影画像の素抜け領域など）が暗号解読で利用されるリスクが、圧縮処理でこの冗長性が抑えられた後に暗号化されることで低減し、暗号解読の困難性が増し、傍受されて万一送信されたデータ信号が漏洩しても、傍受した者が放射線画像を得ることが実質的にできないようにすることができる。
また、データ信号を受信して暗号化処理されたデータを得るコンソール通信手段と、画像データを保存する画像保存手段とを有するコンソールに搭載されるコンピュータに、前記コンソール通信手段により得た前記暗号化処理されたデータに基づくデータを復号化処理する復号化処理機能と、前記復号化処理手段により得た放射線画像データに基づく画像データを前記画像保存手段に保存させる画像保存機能とを実現させるプログラムなので、このプログラムによりコンソールは、万一送信されたデータ信号が傍受されても、傍受した者が放射線画像を得ることが実質的にできないように暗号化処理されたデータから放射線画像データに基づくデータを保存できる。
また、前記復号化処理機能により得たデータに基づくデータから解凍処理されたデータを得る解凍処理機能を有し、前記画像保存機能は、前記解凍処理機能により得た放射線画像データに基づく画像データを前記画像保存手段に保存させるものである請求の範囲第２３項に記載のプログラムなので、このプログラムによりコンソールは、放射線画像そのものが持つ冗長性（例えば、放射線撮影画像の素抜け領域など）が暗号解読で利用されるリスクが、圧縮処理でこの冗長性が抑えられた後に暗号化されることで低減し、更に、放射線画像データそのものを暗号化するよりも暗号化に要する時間が短くなり、無線通信に要する時間も短くなる圧縮処理されたデータに基づくデータを暗号化処理されたデータから放射線画像データに基づくデータを保存できるので、解凍に要する時間が短くなり、コンソールで速やかに画像データを保存できる。また、速やかに表示部に表示できる。また、暗号解読の困難性が増し、傍受されて万一送信されたデータ信号が漏洩しても、傍受した者が放射線画像を得ることが実質的にできないようにすることができる。
【産業上の利用可能性】
【０１３４】
以上に記載したように、本発明は、放射線撮影分野、特に医療分野において有用である。
【図１】
2006101230.tif 000002
【図２】
2006101230.tif 000003
【図３】
2006101230.tif 000004
【図４】
2006101230.tif 000005
【図５】
2006101230.tif 000006
【図６】
2006101230.tif 000007
【図７】
2006101230.tif 000008
【国際調査報告】
2006101230.tif 000009
2006101230.tif 000010
2006101230.tif 000011